【手続補正書】
【提出日】平成27年11月5日(2015.11.5)
【手続補正１】
【補正対象書類名】明細書
【補正対象項目名】００１１
【補正方法】変更
【補正の内容】
【００１１】
真の可搬式、軽量、小型ＥＴ−ＨＭＤの解決法を作り出すという、重要な課題は、２つの根本的な問題、すなわち（１）技術開発者と応用開発者の両方の永続的な夢である、一対のサングラスと同じぐらい抗しがたい優雅な形状因子を用いた、ＨＭＤシステムの設計を可能にする光学的な方法と、（２）システムへ著しい重量および体積を追加することなく視線追跡能力の統合を可能にする光学的な方法と、への対処にある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，０３４，８２３号明細書
（特許文献２）  米国特許出願公開第２００６／０１１９９５１号明細書
（特許文献３）  米国特許出願公開第２００３／００７６５９１号明細書
（特許文献４）  米国特許出願公開第２００５／００３６１１９号明細書
（特許文献５）  米国特許出願公開第２００５／０２４８８４９号明細書
（特許文献６）  米国特許第３，９９２，０８４号明細書
（特許文献７）  米国特許第４，６６９，８１０号明細書
（特許文献８）  米国特許第４，７５３，５２２号明細書
（特許文献９）  米国特許第４，８６３，２５１号明細書
（特許文献１０）  米国特許第５，１７２，２７２号明細書
（特許文献１１）  米国特許第５，１７２，２７５号明細書
（特許文献１２）  米国特許第５，５２６，１８３号明細書
（特許文献１３）  米国特許第５，５７２，２２９号明細書
（特許文献１４）  米国特許第５，６２１，５７２号明細書
（特許文献１５）  米国特許第５，６２５，４９５号明細書
（特許文献１６）  米国特許第５，８１８，６３２号明細書
（特許文献１７）  米国特許第６，０２８，６０６号明細書
（特許文献１８）  米国特許第６，１９８，５７７号明細書
（特許文献１９）  米国特許第６，２３６，５２１号明細書
（特許文献２０）  米国特許第６，２４３，１９９号明細書
（特許文献２１）  米国特許第６，２７１，９７２号明細書
（特許文献２２）  米国特許第６，４０４，５６１号明細書
（特許文献２３）  米国特許第６，４０４，５６２号明細書
（特許文献２４）  米国特許第６，４９３，１４６号明細書
（特許文献２５）  米国特許第６，５６３，６４８号明細書
（特許文献２６）  米国特許第６，７３１，４３４号明細書
（特許文献２７）  米国特許第６，９６３，４５４号明細書
（特許文献２８）  米国特許第６，９９９，２３９号明細書
（特許文献２９）  米国特許第７，１５２，９７７号明細書
（特許文献３０）  米国特許出願公開第２０１１／００３７９５１号明細書
（特許文献３１）  米国特許第８，５１１，８２７号明細書
（特許文献３２）  米国特許出願公開第２００２／００１５１１６号明細書
（特許文献３３）  米国特許出願公開第２００３／００９０７５３号明細書
（特許文献３４）  米国特許出願公開第２００４／０１９６２１３号明細書
（特許文献３５）  米国特許出願公開第２００８／００９４７２０号明細書
（特許文献３６）  米国特許出願公開第２０１１／００４３６４４号明細書
（特許文献３７）  米国特許出願公開第２０１２／００１９５５７号明細書
（特許文献３８）  米国特許出願公開第２０１２／００５７１２９号明細書
（特許文献３９）  米国特許出願公開第２０１２／００８１８００号明細書
（特許文献４０）  米国特許出願公開第２０１２／０１１３０９２号明細書
（特許文献４１）  米国特許出願公開第２０１２／０１６２５４９号明細書
（特許文献４２）  米国特許第５，６９９，１９４号明細書
（特許文献４３）  米国特許第５，９５９，７８０号明細書
（特許文献４４）  米国特許第６，２０１，６４６号明細書
（特許文献４５）  米国特許第６，３８４，９８３号明細書
（特許文献４６）  米国特許第６，４３３，７６０号明細書
（特許文献４７）  米国特許第７，１７７，０８３号明細書
（特許文献４８）  米国特許出願公開第２００９／０１６８０１０号明細書
（特許文献４９）  米国特許第７，２３０，５８３号明細書
（特許文献５０）  米国特許出願公開第２０１３／０１８７８３６号明細書
（特許文献５１）  米国特許出願公開第２０１３／０１１２７０５号明細書
（特許文献５２）  米国特許第５，７０１，２０２号明細書
（特許文献５３）  米国特許第５，７０６，１３６号明細書
（特許文献５４）  米国特許第６，４３３，３７６号明細書
（特許文献５５）  米国特許第７，４１４，７９１号明細書
（特許文献５６）  米国特許第７，５２２，３４４号明細書
（特許文献５７）  米国特許第８，５０３，０８７号明細書
（特許文献５８）  米国特許出願公開第２００８／０２９１５３１号明細書
（特許文献５９）  米国特許第６，８２９，１１３号明細書
（特許文献６０）  米国特許第６，５１０，００６号明細書
（特許文献６１）  米国特許第８，４６７，１３３号明細書
（特許文献６２）  米国特許第６，６７１，０９９号明細書
（特許文献６３）  米国特許出願公開第２０１３／０３２９３０４号明細書
（特許文献６４）  米国特許出願公開第２０１４／０００９８４５号明細書
（特許文献６５）  米国特許出願公開第２０１４／０３６１９５７号明細書
（特許文献６６）  米国特許出願公開第２０１１／００７５２５７号明細書
（特許文献６７）  米国特許出願公開第２００９／０１１５８４２号明細書
（特許文献６８）  米国特許出願公開第２０１０／０１０９９７７号明細書
（特許文献６９）  米国特許第５，９１７，６５６号明細書
（特許文献７０）  米国特許出願公開第２０１３／０２５８４６１号明細書
（特許文献７１）  米国特許出願公開第２０１３／０２８６０５３号明細書
（特許文献７２）  米国特許出願公開第２０１３／０３００６３４号明細書
（特許文献７３）  米国特許出願公開第２００１／０００９４７８号明細書
（特許文献７４）  米国特許出願公開第２０１１／００９０３８９号明細書
（特許文献７５）  米国特許第７，２４９，８５３号明細書
（特許文献７６）  中国特許出願公開第１０１３５９０８９号明細書
（特許文献７７）  中国特許出願公開第１０１４２４７８８号明細書
（特許文献７８）  中国特許出願公開第１２５２１３３号明細書
（特許文献７９）  特開２００６―２７６８８４号公報  
（特許文献８０）  特開平１１―３２６８２０号公報
（特許文献８１）  国際公開第２００４／０７９４３１号
（特許文献８２）  国際公開第２００７／１４０２７３号
（特許文献８３）  国際公開第２００７／００２６９４号
（特許文献８４）  特開２００１−０６６５４３号公報
（特許文献８５）  国際公開第２００７／００２６９４号
（特許文献８６）  国際公開第２００８／０８９４１７号
（特許文献８７）  国際公開第２０１１／１３４１６９号
（特許文献８８）  国際公開第９９／２３６４７号
（特許文献８９）  特開平０９―２１８３７５号公報
（特許文献９０）  国際公開第２０１３／１１２７０５号
（特許文献９１）  国際公開第２０１４／０６２９１２号
（特許文献９２）  国際公開第２００７／０８５６８２号
（非特許文献）
（非特許文献１）  Ｉｎｔｅｒｎａｔｉｏｎａｌ  Ｓｅａｒｃｈ  Ｒｅｐｏｒｔ  ｄａｔｅｄ  Ｆｅｂｒｕａｒｙ  １０，２０１１  ｆｒｏｍ  ＰＣＴ／ＣＮ２０１０／０７２３７６．
（非特許文献２）  Ｊ．Ｅ．ＭＥＬＺＥＲ’Ｓ：‘Ｏｖｅｒｃｏｍｉｎｇ  ｔｈｅ  ｆｉｅｌｄ−ｏｆ−ｖｉｅｗ／ｒｅｓｏｌｕｔｉｏｎ  ｉｎｖａｒｉａｎｔ  ｉｎ  ｈｅａｄｍｏｕｎｔｅｄ  ｄｉｓｐｌａｙｓ’ＰＲＯＣ．ＳＰＩＥ  ｖｏｌ．３３６２，１９９８，ｐａｇｅ  ２８４
（非特許文献３）  Ｌ．Ｇ．ＢＲＯＷＮ’Ｓ：‘Ａｐｐｌｉｃａｔｉｏｎｓ  ｏｆ  ｔｈｅ  Ｓｅｎｓｉｃｓ  ｐａｎｏｒａｍｉｃ  ＨＭＤ’ＳＩＤ  ＳＹＭＰＯＳＩＵＭ  ＤＩＧＥＳＴ  ｖｏｌ．３９，２００８，ｐａｇｅ  ７７
（非特許文献４）  Ｍ．ＧＵＴＩＮ：‘Ａｕｔｏｍａｔｅｄ  ｄｅｓｉｇｎ  ａｎｄ  ｆａｂｒｉｃａｔｉｏｎ  ｏｆ  ｏｃｕｌａｒ  ｏｐｔｉｃｓ’ＰＲＯＣ．ＳＰＩＥ  ２００８，ｐａｇｅ  ７０６０
（非特許文献５）  Ｗｒｉｔｔｅｎ  Ｏｐｉｎｉｏｎ  ｄａｔｅｄ  Ｆｅｂｒｕａｒｙ  １０，２０１１  ｆｒｏｍ  ＰＣＴ／ＣＮ２０１０／０７２３７６．
（非特許文献６）  ＺＨＡＮＧ，Ｒ．，ｅｔ  ａｌ．，"Ｄｅｓｉｇｎ  ｏｆ  ａ  Ｐｏｌａｒｉｚｅｄ  Ｈｅａｄ−Ｍｏｕｎｔｅｄ  Ｐｒｏｊｅｃｔｉｏｎ  Ｄｉｓｐｌａｙ  ｕｓｉｎｇ  ＦＬＣＯＳ  Ｍｉｃｒｏｄｉｓｐｌａｙｓ"，Ｐｒｏｃ．ｏｆ  ＳＰＩＥ  Ｖｏｌ．６４８９，６４８９０Ｂ−１．（２００７）．
（非特許文献７）  ＧＢ  Ｅｘａｍｉｎａｔｉｏｎ  Ｒｅｐｏｒｔ  ｃｏｒｒｅｓｐｏｎｄｉｎｇ  ｔｏ  ＧＢ  １０１２１６５．５  ｄａｔｅｄ  Ｊｕｎｅ  ２８，２０１１．
（非特許文献８）  ‘Ｆｒｅｓｎｅｌ  Ｌｅｎｓｅｓ’ｄｏｗｎｌｏａｄｅｄ  ｆｒｏｍ  ｈｔｔｐ：／／ｗｗｗ．ｆｒｅｓｎｅｌｔｅｃｈ．ｃｏｍ  ｏｎ  Ｊｕｎｅ  ８，２０１１．Ｃｏｐｙｒｉｇｈｔ  Ｆｒｅｓｎｅｌ  Ｔｅｃｈｎｏｌｏｇｉｅｓ，Ｉｎｃ．，２００３．
（非特許文献９）  ＡＺＵＭＡ，Ｒ．，ｅｔ  ａｌ．，‘Ｒｅｃｅｎｔ  ａｄｖａｎｃｅｓ  ｉｎ  ａｕｇｍｅｎｔｅｄ  ｒｅａｌｉｔｙ’，ＩＥＥＥ  Ｃｏｍｐｕｔｅｒ  Ｇｒａｐｈｉｃｓ  Ａｐｐ；．２１，３４−４７（２００１）．
（非特許文献１０）  ＢＡＪＵＲＡ，Ｍ．，ｅｔ  ａｌ．，"Ｍｅｒｇｉｎｇ  ｖｉｒｔｕａｌ  ｏｂｊｅｃｔｓ  ｗｉｔｈ  ｔｈｅ  ｒｅａｌ  ｗｏｒｌｄ：  ｓｅｅｉｎｇ  ｕｌｔｒａｓｏｕｎｄ  ｉｍａｇｅｒｙ  ｗｉｔｈｉｎ  ｔｈｅ  ｐａｔｉｅｎｔ"ｉｎ  Ｐｒｏｃｅｅｄｉｎｇｓ  ｏｆ  ＡＣＭ  ＳＩＧＧＲＡＰＨ（ＡＣＭ，Ｃｈｉｃａｇｏ，１９９２），ｐｐ．２０３−２１０．
（非特許文献１１）  Ｂｉｏｃｃａ，ｅｔ  ａｌ．，"Ｖｉｒｔｕａｌ  ｅｙｅｓ  ｃａｎ  ｒｅａｒｒａｎｇｅ  ｙｏｕｒ  ｂｏｄｙ：  ａｄａｐｔｉｎｇ  ｔｏ  ｖｉｓｕａｌ  ｄｉｓｐｌａｃｅｍｅｎｔ  ｉｎ  ｓｅｅ−ｔｈｒｏｕｇｈ，ｈｅａｄ−ｍｏｕｎｔｅｄ  ｄｉｓｐｌａｙｓ"，Ｐｒｅｓｅｎｃｅ：  Ｔｅｌｅｏｐｅｒａｔｏｒｓ  ａｎｄ  Ｖｉｒｔｕａｌ  Ｅｎｖｉｒｏｎｍｅｎｔｓ  ７，２６２−２７７（１９９８）．
（非特許文献１２）  Ｂｕｎｋｅｎｂｕｒｇ，Ｊ．‘Ｉｎｎｏｖａｔｉｖｅ  Ｄｉｆｆｒａｃｔｉｖｅ  Ｅｙｅｐｉｅｃｅ  ｆｏｒ  Ｈｅｌｍｅｔ−Ｍｏｕｎｔｅｄ  Ｄｉｓｐｌａｙ．’ＳＰＩＥ  Ｖｏｌ．３４３０．ｐｐ．４１  −  ４９  Ｊｕｌｙ  １９９８
（非特許文献１３）  Ｃｒｕｚ−Ｎｅｉｒａ  ｅｔ  ａｌ．，‘Ｓｕｒｒｏｕｎｄ−Ｓｃｒｅｅｎ  Ｐｒｏｊｅｃｔｉｏｎ−Ｂａｓｅｄ  Ｖｉｒｔｕａｌ  Ｒｅａｌｉｔｙ：  ｔｈｅ  Ｄｅｓｉｇｎ  ａｎｄ  Ｉｍｐｌｅｍｅｎｔａｔｉｏｎ  ｏｆ  ｔｈｅ  ＣＡＶＥ，’Ｐｒｏｃｅｅｄｉｎｇｓ  ｏｆ  ｔｈｅ  ２０ｔｈ  Ａｎｎｕａｌ  Ｃｏｎｆｅｒｅｎｃｅ  ｏｎ  Ｃｏｍｐｕｔｅｒ  Ｇｒａｐｈｉｃｓ  ａｎｄ  Ｉｎｔｅｒａｃｔｉｖｅ  Ｔｅｃｈｎｉｑｕｅｓ  ｐｐ  １３５−１４２，ＡＣＭ  ＳＩＧＧＲＡＰＨ，ＡＣＭ  Ｐｒｅｓｓ（１９９３）．
（非特許文献１４）  Ｃ．Ｃｕｒａｔｕ，Ｈ．Ｈｕａ，ａｎｄ  Ｊ．Ｐ．Ｒｏｌｌａｎｄ，"Ｐｒｏｊｅｃｔｉｏｎ−ｂａｓｅｄ  ｈｅａｄｍｏｕｎｔｅｄ  ｄｉｓｐｌａｙ  ｗｉｔｈ  ｅｙｅ−ｔｒａｃｋｉｎｇ  ｃａｐａｂｉｌｉｔｉｅｓ，"Ｐｒｏｃ．ＳＰＩＥ  ５８７５，５８７０５０Ｊ（２００５）．
（非特許文献１５）  ＣＡＫＭＡＫＣＩ，Ｏ．，ｅｔ  ａｌ．，‘Ｈｅａｄ−Ｗｏｒｎ  Ｄｉｓｐｌａｙｓ：  Ａ  Ｒｅｖｉｅｗ’．Ｊｏｕｒｎａｌ  ｏｆ  Ｄｉｓｐｌａｙ  Ｔｅｃｈｎｏｌｏｇｙ，Ｖｏｌ．２，Ｎｏ．３，Ｓｅｐｔｅｍｂｅｒ，２００６，ｐｐ．１９９−２１６．
（非特許文献１６）  ＣＡＵＤＥＬＬ，Ｔ．，ｅｔ  ａｌ．，"Ａｕｇｍｅｎｔｅｄ  ｒｅａｌｉｔｙ：  ａｎ  ａｐｐｌｉｃａｔｉｏｎ  ｏｆ  ｈｅａｄｓ−ｕｐ  ｄｉｓｐｌａｙ  ｔｅｃｈｎｏｌｏｇｙ  ｔｏ  ｍａｎｕａｌ  ｍａｎｕｆａｃｔｕｒｉｎｇ  ｐｒｏｃｅｓｓｅｓ"ｉｎ  Ｐｒｏｃｅｅｄｉｎｇｓ  ｏｆ  Ｈａｗａｉｉ  Ｉｎｔｅｒｎａｔｉｏｎａｌ  Ｃｏｎｆｅｒｅｎｃｅｓ  ｏｎ  Ｓｙｓｔｅｍｓ  Ｓｃｉｅｎｃｅｓ  （Ｈａｗａｉｉ，１９９２），ｐｐ．６５９−６６９．
（非特許文献１７）  Ｅｘａｍｉｎａｔｉｏｎ  Ｒｅｐｏｒｔ  ｄａｔｅｄ  Ａｐｒｉｌ  ２９，２０１１  ｆｒｏｍ  ｃｏｒｒｅｓｐｏｎｄｉｎｇ  ＧＢ  Ａｐｐｌｉｃａｔｉｏｎ  Ｎｏ．ＧＢ１０１２１６５．５．
（非特許文献１８）  Ｈ．Ｈｕａ，Ｃ．Ｇａｏ，ａｎｄ  Ｊ．Ｐ．Ｒｏｌｌａｎｄ，‘Ｓｔｕｄｙ  ｏｆ  ｔｈｅ  Ｉｍａｇｉｎｇ  ｐｒｏｐｅｒｔｉｅｓ  ｏｆ  ｒｅｔｒｏｒｅｆｌｅｃｔｉｖｅ  ｍａｔｅｒｉａｌｓ  ｕｓｅｄ  ｉｎ  ｈｅａｄ−ｍｏｕｎｔｅｄ  ｐｒｏｊｅｃｔｉｖｅ  ｄｉｓｐｌａｙｓ（ＨＭＰＤｓ），’Ｐｒｏｃ．ＳＰＩＥ４７１１，１９４−２０１（２００２）．
（非特許文献１９）  Ｈ．Ｈｕａ，Ｃ．Ｇａｏ，Ｆ．Ｂｉｏｃｃａ，ａｎｄ  Ｊ．Ｐ．Ｒｏｌｌａｎｄ，"Ａｎ  ｕｌｔｒａ−ｌｉｇｈｔ  ａｎｄ  ｃｏｍｐａｃｔ  ｄｅｓｉｇｎ  ａｎｄ  ｉｍｐｌｅｍｅｎｔａｔｉｏｎ  ｏｆ  ｈｅａｄ−ｍｏｕｎｔｅｄ  ｐｒｏｊｅｃｔｉｖｅ  ｄｉｓｐｌａｙｓ，"ｉｎ  Ｐｒｏｃｅｅｄｉｎｇｓ  ｏｆ  ＩＥＥＥ  ＶＲ  ２００１，ｐｐ．１７５−１８２．
（非特許文献２０）  Ｈ．Ｈｕａ，Ｌ．Ｂｒｏｗｎ，ａｎｄ  Ｃ．Ｇａｏ，"Ａ  ｎｅｗ  ｃｏｌｌａｂｏｒａｔｉｖｅ  ｉｎｆｒａｓｔｒｕｃｔｕｒｅ：  ＳＣＡＰＥ，"ｉｎ  Ｐｒｏｃｅｅｄｉｎｇｓ  ｏｆ  ＩＥＥＥ  ＶＲ  ２００３  （ＩＥＥＥ，２００３），ｐｐ．１７１−１７９．
（非特許文献２１）  Ｈ．Ｈｕａ，Ｌ．Ｂｒｏｗｎ，ａｎｄ  Ｃ．Ｇａｏ，"ＳＣＡＰＥ：  ｓｕｐｐｏｒｔｉｎｇ  ｓｔｅｒｅｏｓｃｏｐｉｃ  ｃｏｌｌａｂｏｒａｔｉｏｎ  ｉｎ  ａｕｇｍｅｎｔｅｄ  ａｎｄ  ｐｒｏｊｅｃｔｉｖｅ  ｅｎｖｉｒｏｎｍｅｎｔｓ，"ＩＥＥＥ  Ｃｏｍｐｕｔ．Ｇｒａｐｈｉｃｓ  Ａｐｐｌ．２４，６６−７５（２００４）．
（非特許文献２２）  Ｈ．Ｈｕａ，Ｌ．Ｂｒｏｗｎ，ａｎｄ  Ｃ．Ｇａｏ，"Ｓｙｓｔｅｍ  ａｎｄ  ｉｎｔｅｒｆａｃｅ  ｆｒａｍｅｗｏｒｋ  ｆｏｒ  ＳＣＡＰＥ  ａｓ  ａ  ｃｏｌｌａｂｏｒａｔｉｖｅ  ｉｎｆｒａｓｔｒｕｃｔｕｒｅ，"Ｐｒｅｓｅｎｃｅ：  Ｔｅｌｅｏｐｅｒａｔｏｒｓ  ａｎｄ  Ｖｉｒｔｕａｌ  Ｅｎｖｉｒｏｎｍｅｎｔｓ  １３，２３４−２５０（２００４）．
（非特許文献２３）  Ｈ．Ｈｕａ，Ｙ．Ｈａ，ａｎｄ  Ｊ．Ｐ．Ｒｏｌｌａｎｄ，‘Ｄｅｓｉｇｎ  ｏｆ  ａｎ  ｕｌｔｒａ−ｌｉｇｈｔ  ａｎｄ  ｃｏｍｐａｃｔ  ｐｒｏｊｅｃｔｉｏｎ  ｌｅｎｓ，’Ａｐｐｌ．Ｏｐｔ．４２，１−１２（２００３），ｐｐ．９７  −  １０７．
（非特許文献２４）  Ｈ．Ｈｕａ．，Ａ．Ｇｉｒａｒｄｏｔ，Ｃ．Ｇａｏ．Ｊ．Ｐ．Ｒｏｌｌａｎｄ．‘Ｅｎｇｉｎｅｅｒｉｎｇ  ｏｆ  ｈｅａｄ−ｍｏｕｎｔｅｄ  ｐｒｏｊｅｃｔｉｖｅ  ｄｉｓｐｌａｙｓ’．Ａｐｐｌｉｅｄ  Ｏｐｔｉｃｓ．３９（２２），ｐｐ．３８１４−３８２４．（２０００）．
（非特許文献２５）  Ｈ．Ｈｕａ  ａｎｄ  Ｃ．Ｇａｏ，"Ａ  ｐｏｌａｒｉｚｅｄ  ｈｅａｄ−ｍｏｕｎｔｅｄ  ｐｒｏｊｅｃｔｉｖｅ  ｄｉｓｐｌａｙ，"ｉｎ  Ｐｒｏｃｅｅｄｉｎｇｓ  ｏｆ  ＩＥＥＥ  ａｎｄ  ＡＣＭ  Ｉｎｔｅｒｎａｔｉｏｎａｌ  Ｓｙｍｐｏｓｉｕｍ  ｏｎ  Ｍｉｘｅｄ  ａｎｄ  Ａｕｇｍｅｎｔｅｄ  Ｒｅａｌｉｔｙ  ２００５（ＩＥＥＥ，２００５），ｐｐ．３２−３５．
（非特許文献２６）  Ｈｕａ  ｅｔ  ａｌ．，‘Ｄｅｓｉｇｎ  ｏｆ  ａ  Ｂｒｉｇｈｔ  Ｐｏｌａｒｉｚｅｄ  Ｈｅａｄ−Ｍｏｕｎｔｅｄ  Ｐｒｏｊｅｃｔｉｏｎ  Ｄｉｓｐｌａｙ’Ａｐｐｌｉｅｄ  Ｏｐｔｉｃｓ  ４６：２６００−２６１０（２００７）．
（非特許文献２７）  Ｉｎｔｅｒｎａｔｉｏｎａｌ  Ｓｅａｒｃｈ  Ｒｅｐｏｒｔ  ｄａｔｅｄ  Ｍａｒｃｈ  ９，２００９  ｗｉｔｈ  ｒｅｇａｒｄ  ｔｏ  Ｉｎｔｅｒｎａｔｉｏｎａｌ  Ｐａｔｅｎｔ  Ａｐｐｌｉｃａｔｉｏｎ  Ｎｏ．ＰＣＴ／  ＵＳ２００９／０３１６０６．
（非特許文献２８）  Ｊ．Ｌ．Ｐｅｚｚａｎｉｔｉ  ａｎｄ  Ｒ．Ａ．Ｃｈｉｐｍａｎ，"Ａｎｇｕｌａｒ  ｄｅｐｅｎｄｅｎｃｅ  ｏｆ  ｐｏｌａｒｉｚｉｎｇ  ｂｅａｍｓｐｌｉｔｔｅｒ  ｃｕｂｅｓ，"Ａｐｐｌ．Ｏｐｔ．３３，１９１６−１９２９（１９９４）．
（非特許文献２９）  Ｊ．Ｐ．Ｒｏｌｌａｎｄ，Ｆ．Ｂｉｏｃｃａ，Ｆ．Ｈａｍｚａ−Ｌｕｐ，Ｙ．Ｈａ，ａｎｄ  Ｒ．Ｍａｒｔｉｎｓ，"Ｄｅｖｅｌｏｐｍｅｎｔ  ｏｆ  ｈｅａｄ−ｍｏｕｎｔｅｄ  ｐｒｏｊｅｃｔｉｏｎ  ｄｉｓｐｌａｙｓ  ｆｏｒ  ｄｉｓｔｒｉｂｕｔｅｄ，ｃｏｌｌａｂｏｒａｔｉｖｅ，ａｕｇｍｅｎｔｅｄ  ｒｅａｌｉｔｙ  ａｐｐｌｉｃａｔｉｏｎｓ，"Ｐｒｅｓｅｎｃｅ：  Ｔｅｌｅｏｐｅｒａｔｏｒｓ  ａｎｄ  Ｖｉｒｔｕａｌ  Ｅｎｖｉｒｏｎｍｅｎｔｓ  １４，５２８−５４９（２００５）．
（非特許文献３０）  Ｊ．Ｐ．Ｒｏｌｌａｎｄ  ａｎｄ  Ｈｏｎｇ  Ｈｕａ．"Ｈｅａｄ−ｍｏｕｎｔｅｄ  ｄｉｓｐｌａｙ  ｓｙｓｔｅｍｓ，"ｉｎ  Ｅｎｃｙｃｌｏｐｅｄｉａ  ｏｆ  Ｏｐｔｉｃａｌ  Ｅｎｇｉｎｅｅｒｉｎｇ．Ｒ．Ｂａｒｒｙ  Ｊｏｈｎｓｏｎ  ａｎｄ  Ｒｏｎａｌｄ  Ｏ．Ｄｒｉｇｇｅｒｓ，Ｅｄｓ，（２００５）．
（非特許文献３１）  ＫＲＵＥＥＲＫＥ，Ｄａｎｉｅｌ，"Ｓｐｅｅｄ  Ｍａｙ  Ｇｉｖｅ  Ｆｅｒｒｏｅｌｅｃｔｒｉｃ  ＬＣＯＳ  Ｅｄｇｅ  ｉｎ  Ｐｒｏｊｅｃｔｉｏｎ  Ｒａｃｅ，"Ｄｉｓｐｌａｙ  Ｄｅｖｉｃｅｓ  Ｆａｌｌ‘０５．Ｃｏｐｙｒｉｇｈｔ  ２００５  Ｄｅｍｐａ  Ｐｕｂｌｉｃａｔｉｏｎｓ，Ｉｎｃ．ｐｐ．２９−３１．
（非特許文献３２）  Ｌ．Ｂｒｏｗｎ  ａｎｄ  Ｈ．Ｈｕａ，"Ｍａｇｉｃ  ｌｅｎｓｅｓ  ｆｏｒ  ａｕｇｍｅｎｔｅｄ  ｖｉｒｔｕａｌ  ｅｎｖｉｒｏｎｍｅｎｔｓ，"ＩＥＥＥ  Ｃｏｍｐｕｔ．Ｇｒａｐｈｉｃｓ  Ａｐｐｌ．２６，６４−７３（２００６）．
（非特許文献３３）  Ｌ．Ｄａｖｉｓ，Ｊ．Ｐ．Ｒｏｌｌａｎｄ，Ｆ．Ｈａｍｚａ−Ｌｕｐ，Ｙ．Ｈａ，Ｊ．Ｎｏｒｆｌｅｅｔ，ａｎｄ  Ｃ．Ｉｍｉｅｌｉｎｓｋａ，‘Ｅｎａｂｌｉｎｇ  ａ  ｃｏｎｔｉｎｕｕｍ  ｏｆ  ｖｉｒｔｕａｌ  ｅｎｖｉｒｏｎｍｅｎｔ  ｅｘｐｅｒｉｅｎｃｅｓ，’  ＩＥＥＥ  Ｃｏｍｐｕｔ．Ｇｒａｐｈｉｃｓ  Ａｐｐｌ．２３，ｐｐ．１０−１２  Ｍａｒｃｈ／Ａｐｒｉｌ，２００３．
（非特許文献３４）  Ｍ．Ｉｎａｍｉ，Ｎ．Ｋａｗａｋａｍｉ，ａｎｄ  Ｓ．Ｔａｃｈｉ，‘Ｏｐｔｉｃａｌ  ｃａｍｏｕｆｌａｇｅ  ｕｓｉｎｇ  ｒｅｔｒｏ−ｒｅｆｌｅｃｔｉｖｅ  ｐｒｏｊｅｃｔｉｏｎ  ｔｅｃｈｎｏｌｏｇｙ，’  ｉｎ  Ｐｒｏｃｅｅｄｉｎｇｓ  ｏｆ  ＩＳＭＡＲ  ２００３（ＩＳＭＡＲ，２００３）．
（非特許文献３５）  Ｍ．Ｉｎａｍｉ，Ｎ．Ｋａｗａｋａｍｉ，Ｄ．Ｓｅｋｉｇｕｃｈｉ，Ｙ．Ｙａｎａｇｉｄａ，Ｔ．Ｍａｅｄａ，ａｎｄ  Ｓ．Ｔａｃｈｉ，"Ｖｉｓｕｏ−ｈａｐｔｉｃ  ｄｉｓｐｌａｙ  ｕｓｉｎｇ  ｈｅａｄ−ｍｏｕｎｔｅｄ  ｐｒｏｊｅｃｔｏｒ，"ｉｎ  Ｐｒｏｃｅｅｄｉｎｇｓ  ｏｆ  ＩＥＥＥ  Ｖｉｒｔｕａｌ  Ｒｅａｌｉｔｙ  ２０００，ｐｐ．２３３−２４０．
（非特許文献３６）  Ｍ．Ｒｏｂｉｎｓｏｎ．Ｊ．Ｃｈｅｎ，ａｎｄ  Ｇ．Ｓｈａｒｐ，Ｐｏｌａｒｉｚａｔｉｏｎ  Ｅｎｇｉｎｅｅｒｉｎｇ  ｆｏｒ  ＬＣＤ  Ｐｒｏｊｅｃｔｉｏｎ．Ｊｏｈｎ  Ｗｉｌｅｙ  &  Ｓｏｎｓ，Ｌｔｄ．Ｅｎｇｌａｎｄ，２００５．
（非特許文献３７）  Ｎ．Ｋａｗａｋａｍｉ，Ｍ．Ｉｎａｍｉ，Ｄ．Ｓｅｋｉｇｕｃｈｉ，Ｙ．Ｙａｎｇａｇｉｄａ，Ｔ．Ｍａｅｄａ，ａｎｄ  Ｓ．Ｔａｃｈｉ，‘Ｏｂｊｅｃｔ−ｏｒｉｅｎｔｅｄ  ｄｉｓｐｌａｙｓ：  ａ  ｎｅｗ  ｔｙｐｅ  ｏｆ  ｄｉｓｐｌａｙ  ｓｙｓｔｅｍｓｆｒｏｍ  ｉｍｍｅｒｓｉｖｅ  ｄｉｓｐｌａｙ  ｔｏ  ｏｂｊｅｃｔ−ｏｒｉｅｎｔｅｄ  ｄｉｓｐｌａｙｓ，’ｉｎ  Ｐｒｏｃｅｅｄｉｎｇｓ  ｏｆ  ＩＥＥＥ  ＳＭＣ  １９９９，ＩＥＥＥ  Ｉｎｔｅｒｎａｔｉｏｎａｌ  Ｃｏｎｆｅｒｅｎｃｅ  ｏｎ  Ｓｙｓｔｅｍｓ，Ｍａｎ，ａｎｄ  Ｃｙｂｅｒｎｅｔｉｃｓ，Ｖｏｌ．５，ｐｐ．１０６６−１０６９．
（非特許文献３８）  Ｒ．Ａｚｕｍａ，Ａ  Ｓｕｒｖｅｙ  ｏｆ  Ａｕｇｍｅｎｔｅｄ  Ｒｅａｌｉｔｙ  ｉｎ  Ｐｒｅｓｅｎｃｅ；  Ｔｅｌｅｏｐｅｒａｔｏｒｓ  ａｎｄ  Ｖｉｒｔｕａｌ  Ｅｎｖｉｒｏｎｍｅｎｔｓ  ６．４，３５５−３８５，（１９９７）．
（非特許文献３９）  Ｒ．Ｋｉｊｉｍａ，Ｋ．Ｈａｚａ，Ｙ．Ｔａｄａ，ａｎｄ  Ｔ．Ｏｊｉｋａ，"Ｄｉｓｔｒｉｂｕｔｅｄ  ｄｉｓｐｌａｙ  ａｐｐｒｏａｃｈ  ｕｓｉｎｇ  ＰＨＭＤ  ｗｉｔｈ  ｉｎｆｒａｒｅｄ  ｃａｍｅｒａ，"ｉｎ  Ｐｒｏｃｅｅｄｉｎｇｓ  ｏｆ  ＩＥＥＥ  ２００２  Ｖｉｒｔｕａｌ  Ｒｅａｌｉｔｙ  Ａｎｎｕａｌ  Ｉｎｔｅｒｎａｔｉｏｎａｌ  Ｓｙｍｐｏｓｉｕｍ（ＩＥＥＥ，２００２），ｐｐ．１−８．
（非特許文献４０）  Ｒ．Ｋｉｊｉｍａ  ａｎｄ  Ｔ．Ｏｊｉｋａ，"Ｔｒａｎｓｉｔｉｏｎ  ｂｅｔｗｅｅｎ  ｖｉｒｔｕａｌ  ｅｎｖｉｒｏｎｍｅｎｔ  ａｎｄ  ｗｏｒｋｓｔａｔｉｏｎ  ｅｎｖｉｒｏｎｍｅｎｔ  ｗｉｔｈ  ｐｒｏｊｅｃｔｉｖｅ  ｈｅａｄｍｏｕｎｔｅｄ  ｄｉｓｐｌａｙ，"ｉｎ  Ｐｒｏｃｅｅｄｉｎｇｓ  ｏｆ  ＩＥＥＥ  ＶＲ  １９９７（ＩＥＥＥ，１９９７），ｐｐ．１３０−１３７．
（非特許文献４１）  Ｒ．Ｍａｒｔｉｎｓ，Ｖ．Ｓｈａｏｕｌｏｖ，Ｙ．Ｈａ，ａｎｄ  Ｊ．Ｐ．Ｒｏｌｌａｎｄ，"Ｐｒｏｊｅｃｔｉｏｎ  ｂａｓｅｄ  ｈｅａｄｍｏｕｎｔｅｄ  ｄｉｓｐｌａｙｓ  ｆｏｒ  ｗｅａｒａｂｌｅ  ｃｏｍｐｕｔｅｒｓ，"Ｐｒｏｃ．ＳＰＩＥ  ５４４２，１０４−１１０（２００４）．
（非特許文献４２）  Ｒ．Ｎ．Ｂｅｒｒｙ，Ｌ．Ａ．Ｒｉｇｇｓ，ａｎｄ  Ｃ．Ｐ．Ｄｕｎｃａｎ，"Ｔｈｅ  ｒｅｌａｔｉｏｎ  ｏｆ  ｖｅｒｎｉｅｒ  ａｎｄ  ｄｅｐｔｈ  ｄｉｓｃｒｉｍｉｎａｔｉｏｎｓ  ｔｏ  ｆｉｅｌｄ  ｂｒｉｇｈｔｎｅｓｓ，"Ｊ．Ｅｘｐ．Ｐｓｙｃｈｏｌ．４０，３４９−３５４（１９５０）．
（非特許文献４３）  ＲＯＬＬＡＮＤ，Ｊ．Ｐ．，ｅｔ  ａｌ．，‘Ｏｐｔｉｃａｌ  ｖｅｒｓｕｓ  ｖｉｄｅｏ  ｓｅｅ−ｔｈｒｏｕｇｈ  ｈｅａｄ  ｍｏｕｎｔｅｄ  ｄｉｓｐｌａｙｓ  ｉｎ  ｍｅｄｉｃａｌ  ｖｉｓｕａｌｉｚａｔｉｏｎ’，Ｐｒｅｓｅｎｃｅ‘Ｔｅｌｅｏｐｅｒａｔｏｒｓ  ａｎｄ  Ｖｉｒｔｕａｌ  Ｅｎｖｉｒｏｎｍｅｎｔｓ  ９，２８７−３０９（２０００）．
（非特許文献４４）  ＷＩＮＴＥＲＢＯＴＴＯＭ，Ｍ．，ｅｔ  ａｌ．，‘Ｈｅｌｍｅｔ−Ｍｏｕｎｔｅｄ  Ｄｉｓｐｌａｙｓ  ｆｏｒ  ｕｓｅ  ｉｎ  Ａｉｒ  Ｆｏｒｃｅ  Ｔｒａｉｎｉｎｇ  ａｎｄ  Ｓｉｍｕｌａｔｉｏｎ’，Ｈｕｍａｎ  Ｅｆｆｅｃｔｉｖｅｎｅｓｓ  Ｄｉｒｅｃｔｏｒａｔｅ，Ｎｏｖｅｍｂｅｒ，２００５，ｐｐ．１−５４
（非特許文献４５）  Ｗｒｉｔｔｅｎ  Ｏｐｉｎｉｏｎ  ｏｆ  ｔｈｅ  Ｉｎｔｅｒｎａｔｉｏｎａｌ  Ｓｅａｒｃｈｉｎｇ  Ａｕｔｈｏｒｉｔｙ  ｄａｔｅｄ  Ｍａｒｃｈ  ９，２００９  ｗｉｔｈ  ｒｅｇａｒｄ  ｔｏ  Ｉｎｔｅｒｎａｔｉｏｎａｌ  Ｐａｔｅｎｔ  Ａｐｐｌｉｃａｔｉｏｎ  Ｎｏ．ＰＣＴ／ＵＳ２００９／０３１６０６．
（非特許文献４６）  Ｙ．Ｈａ，Ｈ．Ｈｕａ，Ｒ．Ｍａｒｔｉｎｓ，ａｎｄ  Ｊ．Ｐ．Ｒｏｌｌａｎｄ，"Ｄｅｓｉｇｎ  ｏｆ  ａ  ｗｅａｒａｂｌｅ  ｗｉｄｅ−ａｎｇｌｅ  ｐｒｏｊｅｃｔｉｏｎ  ｃｏｌｏｒ  ｄｉｓｐｌａｙ，"ｉｎ  Ｐｒｏｃｅｅｄｉｎｇｓ  ｏｆ  Ｉｎｔｅｒｎａｔｉｏｎａｌ  Ｏｐｔｉｃａｌ  Ｄｅｓｉｇｎ  Ｃｏｎｆｅｒｅｎｃｅ  ２００２（ＩＯＤＣ，２００２），ｐｐ．６７−７３．
（非特許文献４７）  ＺＨＡＮＧ，Ｒ．，"８．３：  Ｄｅｓｉｇｎ  ｏｆ  ａ  Ｃｏｍｐａｃｔ  Ｌｉｇｈｔ  Ｅｎｇｉｎｅ  ｆｏｒ  ＦＬＣＯＳ  Ｍｉｃｒｏｄｉｓｐｌａｙｓ  ｉｎ  ａ  ｐ−ＨＭＰＤ  ｓｙｓｔｅｍ，"Ｓｏｃｉｅｔｙ  ｆｏｒ  Ｉｎｆｏｒｍａｔｉｏｎ  Ｄｉｓｐｌａｙ  ２００８  Ｉｎｔｅｒｎａｔｉｏｎａｌ  Ｓｙｍｐｏｓｉｕｍ，Ｓｅｍｉｎａｒ  ａｎｄ  Ｅｘｈｉｂｉｔｉｏｎ（ＳＩＤ２００８），Ｌｏｓ  Ａｎｇｅｌｅｓ，ＣＡ，Ｍａｙ  ２００８．
（非特許文献４８）  Ｚｈａｎｇ，Ｒ．，ｅｔ  ａｌ．，"Ｄｅｓｉｇｎ  ｏｆ  ａ  Ｐｏｌａｒｉｚｅｄ  Ｈｅａｄ−Ｍｏｕｎｔｅｄ  Ｐｒｏｊｅｃｔｉｏｎ  Ｄｉｓｐｌａｙ  Ｕｓｉｎｇ  Ｆｅｒｒｏｅｌｅｃｔｒｉｃ  Ｌｉｑｕｉｄ−Ｃｒｙｓｔａｌ−ｏｎ−Ｓｉｌｉｃｏｎ  Ｍｉｃｒｏｄｉｓｐｌａｙｓ，"Ａｐｐｌｉｅｄ  Ｏｐｔｉｃｓ，ｖｏｌ．４７，Ｎｏ．１５，Ｍａｙ  ２０，２００８，ｐｐ．２８８８−２８９６．
（非特許文献４９）  ＨＵＡ  ｅｔ  ａｌ，"Ｃｏｍｐａｃｔ  ｅｙｅｔｒａｃｋｅｄ  ｏｐｔｉｃａｌ  ｓｅｅ−ｔｈｒｏｕｇｈ  ｈｅａｄ−ｍｏｕｎｔｅｄ  ｄｉｓｐｌａｙ，"Ｐｒｏｃ．ＳＰＩＥ  ８２８８，Ｓｔｅｒｅｏｓｃｏｐｉｃ  Ｄｉｓｐｌａｙｓ  ａｎｄ  Ａｐｐｌｉｃａｔｉｏｎｓ  ＸＸＩＩＩ，８２８８１Ｆ（Ｆｅｂｒｕａｒｙ  ９，２０１２）．
（非特許文献５０）  Ｉｎｔｅｒｎａｔｉｏｎａｌ  Ｓｅａｒｃｈ  Ｒｅｐｏｒｔ  ｄａｔｅｄ  Ｊｕｎｅ  １８，２０１０  ｉｎ  ｃｏｒｒｅｓｐｏｎｄｉｎｇ  ｉｎｔｅｒｎａｔｉｏｎａｌ  ａｐｐｌｉｃａｔｉｏｎ  ＰＣＴ／ＵＳ２０１０／０３１７９９．
（非特許文献５１）  Ｊｉｓｏｏ  Ｈｏｎｇ，ｅｔ  ａｌ．，"Ｔｈｒｅｅ−ｄｉｍｅｎｓｉｏｎａｌ  ｄｉｓｐｌａｙ  ｔｅｃｈｎｏｌｏｇｉｅｓ  ｏｆ  ｒｅｃｅｎｔ  ｉｎｔｅｒｅｓｔ：  Ｐｒｉｎｃｉｐｌｅｓ，Ｓｔａｔｕｓ，ａｎｄ  Ｉｓｓｕｅｓ，"Ａｐｐｌｉｅｄ  Ｏｐｔｉｃｓ（Ｄｅｃｅｍｂｅｒ  １，２０１１）５０（３４）：１０６．
（非特許文献５２）  Ｗｒｉｔｔｅｎ  Ｏｐｉｎｉｏｎ  ｄａｔｅｄ  Ｊｕｎｅ  １８，２０１０  ｉｎ  ｃｏｒｒｅｓｐｏｎｄｉｎｇ  ｉｎｔｅｒｎａｔｉｏｎａｌ  ａｐｐｌｉｃａｔｉｏｎ  ＰＣＴ／ＵＳ２０１０／０３１７９９．
（非特許文献５３）  ＹＡＭＡＺＡＫＩ  ｅｔ  ａｌ，"Ｔｈｉｎ  ｗｉｄｅ−ｆｉｅｌｄ−ｏｆ−ｖｉｅｗ  ＨＭＤ  ｗｉｔｈ  ｆｒｅｅ−ｆｏｒｍ−ｓｕｒｆａｃｅ  ｐｒｉｓｍ  ａｎｄ  ａｐｐｌｉｃａｔｉｏｎｓ，"Ｐｒｏｃ．ＳＰＩＥ  ３６３９，Ｓｔｅｒｅｏｓｃｏｐｉｃ  Ｄｉｓｐｌａｙｓ  ａｎｄ  Ｖｉｒｔｕａｌ  Ｒｅａｌｉｔｙ  Ｓｙｓｔｅｍｓ  ＶＩ，４５３（Ｍａｙ  ２４，１９９９）．
（非特許文献５４）  Ａｋｅｌｅｙ  ｅｔ  ａｌ．，"Ａ  Ｓｔｅｒｅｏ  Ｄｉｓｐｌａｙ  Ｐｒｏｔｏｔｙｐｅ  ｗｉｔｈ  Ｍｕｌｔｉｐｌｅ  Ｆｏｃａｌ  Ｄｉｓｔａｎｃｅｓ，"ＡＣＭ  Ｔｒａｎｓ．Ｇｒａｐｈｉｃｓ  ２３：８０４−８１３（２００４）．
（非特許文献５５）  Ｄａｖｉｓ  ｅｔ  ａｌ．，"Ａｃｃｏｍｍｏｄａｔｉｏｎ  ｔｏ  Ｌａｒｇｅ  Ｄｉｓｐａｒｉｔｙ  Ｓｔｅｒｅｏｇｒａｍｓ，&quotＪｏｕｒｎａｌ  ｏｆ  ＡＡＰＯＳ  ６：３７７−３８４  （２００２）．
（非特許文献５６）  Ｄｏｗｎｉｎｇ  ｅｔ  ａｌ．，"Ａ  Ｔｈｒｅｅ−Ｃｏｌｏｒ，Ｓｏｌｉｄ−Ｓｔａｔｅ，Ｔｈｒｅｅ−Ｄｉｍｅｎｓｉｏｎａｌ  Ｄｉｓｐｌａｙ，"Ｓｃｉｅｎｃｅ  ２７３：１１８５−１１８９（１９９６）．
（非特許文献５７）  Ｅｄｇａｒ  ｅｔ  ａｌ．，"Ｖｉｓｕａｌ  Ａｃｃｏｍｍｏｄａｔｉｏｎ  Ｐｒｏｂｌｅｍｓ  ｗｉｔｈ  Ｈｅａｄ−Ｕｐ  ａｎｄ  Ｈｅｌｍｅｔ−Ｍｏｕｎｔｅｄ  Ｄｉｓｐｌａｙｓ？，"Ｄｉｓｐｌａｙｓ  １５：６８−７５（１９９４）．
（非特許文献５８）  Ｆａｖａｌｏｒａ  ｅｔ  ａｌ．，"１００  Ｍｉｌｌｉｏｎ−Ｖｏｘｅｌ  Ｖｏｌｕｍｅｔｒｉｃ  Ｄｉｓｐｌａｙ，"Ｐｒｏｃ．ＳＰＩＥ  ４７１２：３００−３１２（２００２）．
（非特許文献５９）  Ｇｒａｈａｍ−Ｒｏｗｅ，"Ｌｉｑｕｉｄ  Ｌｅｎｓｅｓ  Ｍａｋｅ  ａ  Ｓｐｌａｓｈ，"Ｎａｔｕｒｅ−Ｐｈｏｔｏｎｉｃｓ  ｐａｇｅｓ  ２−４（２００６）．
（非特許文献６０）  Ｈｅａｎｕｅ  ｅｔ  ａｌ．，"Ｖｏｌｕｍｅ  Ｈｏｌｏｇｒａｐｈｉｃ  Ｓｔｏｒａｇｅ  ａｎｄ  Ｒｅｔｒｉｅｖａｌ  ｏｆ  Ｄｉｇｉｔａｌ  Ｄａｔａ，"Ｓｃｉｅｎｃｅ  ２６５：７４９−７５２（１９９４）．
（非特許文献６１）  Ｈｕａ，"Ｍｅｒｇｉｎｇ  ｔｈｅ  Ｗｏｒｌｄｓ  ｏｆ  Ａｔｏｍｓ  ａｎｄ  Ｂｉｔｓ：  Ａｕｇｍｅｎｔｅｄ  Ｖｉｒｔｕａｌ  Ｅｎｖｉｒｏｎｍｅｎｔｓ，"Ｏｐｔｉｃｓ  ａｎｄ  Ｐｈｏｔｏｎｉｃｓ  Ｎｅｗｓ  １７：２６−３３（２００６）．
（非特許文献６２）  Ｉｎｏｕｅ  ｅｔ  ａｌ．，"Ａｃｃｏｍｍｏｄａｔｉｖｅ  Ｒｅｓｐｏｎｓｅｓ  ｔｏ  Ｓｔｅｒｅｏｓｃｏｐｉｃ  Ｔｈｒｅｅ−Ｄｉｍｅｎｓｉｏｎａｌ  Ｄｉｓｐｌａｙ，"Ａｐｐｌｉｅｄ  Ｏｐｔｉｃｓ，３６：４５０９−４５１５（１９９７）．
（非特許文献６３）  Ｋｕｉｐｅｒ  ｅｔ  ａｌ．，"Ｖａｒｉａｂｌｅ−Ｆｏｃｕｓ  Ｌｉｑｕｉｄ  Ｌｅｎｓ  ｆｏｒ  Ｍｉｎｉａｔｕｒｅ  Ｃａｍｅｒａｓ，"Ａｐｐｌｉｅｄ  Ｐｈｙｓｉｃｓ  Ｌｅｔｔｅｒｓ  ８５：１１２８−１１３０（２００４）．
（非特許文献６４）  Ｋｕｒｉｂａｙａｓｈｉ，ｅｔ  ａｌ．，"Ａ  Ｍｅｔｈｏｄ  ｆｏｒ  Ｒｅｐｒｏｄｕｃｉｎｇ  Ａｐｐａｒｅｎｔ  Ｃｏｎｔｉｎｕｏｕｓ  Ｄｅｐｔｈ  ｉｎ  ａ  Ｓｔｅｒｅｏｓｃｏｐｉｃ  Ｄｉｓｐｌａｙ  Ｕｓｉｎｇ"Ｄｅｐｔｈ−Ｆｕｓｅｄ  ３Ｄ"Ｔｅｃｈｎｏｌｏｇｙ"Ｊｏｕｒｎａｌ  ｏｆ  ｔｈｅ  Ｓｏｃｉｅｔｙ  ｆｏｒ  Ｉｎｆｏｒｍａｔｉｏｎ  Ｄｉｓｐｌａｙ  １４：４９３−４９８（２００６）．
（非特許文献６５）  Ｌｉｕ  ｅｔ  ａｌ．，"Ａｎ  Ｏｐｔｉｃａｌ  Ｓｅｅ−Ｔｈｒｏｕｇｈ  ｈｅａｄ  Ｍｏｕｎｔｅｄ  Ｄｉｓｐｌａｙ  ｗｉｔｈ  Ａｄｄｒｅｓｓａｂｌｅ  Ｆｏｃａｌ  Ｐｌａｎｅｓ，"ＩＥＥＥ  Ｃｏｍｐｕｔｅｒ  Ｓｏｃｉｅｔｙ，ｐａｇｅｓ  ３３−４２（２００８）．
（非特許文献６６）  Ｌｉｕ  ｅｔ  ａｌ．，"Ｔｉｍｅ−Ｍｕｌｔｉｐｌｅｘｅｄ  Ｄｕａｌ−Ｆｏｃａｌ  Ｐｌａｎｅ  Ｈｅａｄ−Ｍｏｕｎｔｅｄ  Ｄｉｓｐｌａｙ  ｗｉｔｈ  ａ  Ｌｉｑｕｉｄ  Ｌｅｎｓ，"Ｏｐｔｉｃｓ  Ｌｅｔｔｅｒｓ  ３４：１６４２−１６４４（２００９）．
（非特許文献６７）  Ｌｉｕ  ｅｔ  ａｌ．，‘Ａ  Ｎｏｖｅｌ  Ｐｒｏｔｏｔｙｐｅ  ｆｏｒ  ａｎ  Ｏｐｔｉｃａｌ  Ｓｅｅ−Ｔｈｒｏｕｇｈ  Ｈｅａｄ−Ｍｏｕｎｔｅｄ  Ｄｉｓｐｌａｙ  ｗｉｔｈ  Ａｄｄｒｅｓｓａｂｌｅ  Ｆｏｃｕｓ  Ｃｕｅｓ，’ＩＥＥＥ  Ｔｒａｎｓａｃｔｉｏｎｓ  ｏｎ  Ｖｉｓｕａｌｉｚａｔｉｏｎ  ａｎｄ  Ｃｏｍｐｕｔｅｒ  Ｇｒａｐｈｉｃｓ  １６：３８１−３９３（２０１０）．
（非特許文献６８）  Ｌｉｕ  ｅｔ  ａｌ．，"Ａ  Ｓｙｓｔｅｍａｔｉｃ  Ｍｅｔｈｏｄ  ｆｏｒ  Ｄｅｓｉｇｎｉｎｇ  Ｄｅｐｔｈ−Ｆｕｓｅｄ  Ｍｕｌｔｉ−Ｆｏｃａｌ  Ｐｌａｎｅ  Ｔｈｒｅｅ−Ｄｉｍｅｎｓｉｏｎａｌ  Ｄｉｓｐｌａｙｓ，"Ｏｐｔｉｃｓ  Ｅｘｐｒｅｓｓ  １８：１１５６２−１１５７３（２０１０）．
（非特許文献６９）  ＭｃＱｕａｉｄｅ  ｅｔ  ａｌ．，"Ａ  Ｒｅｔｉｎａｌ  Ｓｃａｎｎｉｎｇ  Ｄｉｓｐｌａｙ  Ｓｙｓｔｅｍ  Ｔｈａｔ  Ｐｒｏｄｕｃｅｓ  Ｍｕｌｔｉｐｌｅ  Ｆｏｃａｌ  Ｐｌａｎｅｓ  ｗｉｔｈ  ａ  Ｄｅｆｏｒｍａｂｌｅ  Ｍｅｍｂｒａｎｅ  Ｍｉｒｒｏｒ，"Ｄｉｓｐｌａｙｓ  ２４：６５−７２（２００３）．
（非特許文献７０）  Ｍｏｎ−Ｗｉｌｌｉａｍｓ  ｅｔ  ａｌ．，"Ｂｉｎｏｃｕｌａｒ  Ｖｉｓｉｏｎ  ｉｎ  ａ  Ｖｉｒｔｕａｌ  Ｗｏｒｌｄ：  Ｖｉｓｕａｌ  Ｄｅｆｉｃｉｔｓ  Ｆｏｌｌｏｗｉｎｇ  ｔｈｅ  Ｗｅａｒｉｎｇ  ｏｆ  ａ  Ｈｅａｄ−Ｍｏｕｎｔｅｄ  Ｄｉｓｐｌａｙ，"Ｏｐｈｔｈａｌｍｉｃ  Ｐｈｙｓｉｏｌ．Ｏｐｔ．１３：３８７−３９１（１９９３）．
（非特許文献７１）  "ＯＬＥＤ−ＸＬ  Ｍｉｃｒｏｄｉｓｐｌａｙｓ，"ｅＭａｇｉｎ  ５  ｐａｇｅｓ（２０１０）．
（非特許文献７２）  Ｏｐｔｉｃａｌ  Ｒｅｓｅａｒｃｈ  Ａｓｓｏｃｉａｔｅｓ，ｈｔｔｐ：／／ｗｗｗ．ｏｐｔｉｃａ１ｒｅｓ．ｃｏｍ，２  ｐａｇｅｓ（ｏｂｔａｉｎｅｄ  １／２６／２０１１）．
（非特許文献７３）  Ｒｏｌｌａｎｄ  ｅｔ  ａｌ．，"Ｍｕｌｔｉｆｏｃａｌ  Ｐｌａｎｅｓ  Ｈｅａｄ−Ｍｏｕｎｔｅｄ  Ｄｉｓｐｌａｙｓ，"Ａｐｐｌｉｅｄ  Ｏｐｔｉｃｓ  ３９：３２０９−３２１５（２０００）．
（非特許文献７４）  Ｓｃｈｏｗｅｎｇｅｒｄｔ  ｅｔ  ａｌ．，"Ｔｒｕｅ  ３−Ｄ  Ｓｃａｎｎｅｄ  Ｖｏｘｅｌ  Ｄｉｓｐｌａｙｓ  Ｕｓｉｎｇ  Ｓｉｎｇｌｅ  ｏｒ  Ｍｕｌｔｉｐｌｅ  Ｌｉｇｈｔ  Ｓｏｕｒｃｅｓ，"Ｊ．Ｓｏｃ．Ｉｎｆｏ．Ｄｉｓｐｌａｙ  １４：１３５−１４３（２００６）．
（非特許文献７５）  Ｓｈｅｅｄｙ  ｅｔ  ａｌ．，"Ｐｅｒｆｏｒｍａｎｃｅ  ａｎｄ  Ｃｏｍｆｏｒｔ  ｏｎ  Ｎｅａｒ−Ｅｙｅ  Ｃｏｍｐｕｔｅｒ  Ｄｉｓｐｌａｙｓ，"Ｏｐｔｏｍｅｔｒｙ  ａｎｄ  Ｖｉｓｉｏｎ  Ｓｃｉｅｎｃｅ  ７９：３０６−３１２（２００２）．
（非特許文献７６）  Ｓｈｉｂａｔａ  ｅｔ  ａｌ．，"Ｓｔｅｒｅｏｓｃｏｐｉｃ  ３−Ｄ  Ｄｉｓｐｌａｙ  ｗｉｔｈ  Ｏｐｔｉｃａｌ  Ｃｏｒｒｅｃｔｉｏｎ  ｆｏｒ  ｔｈｅ  Ｒｅｄｕｃｔｉｏｎ  ｏｆ  ｔｈｅ  Ｄｉｓｃｒｅｐａｎｃｙ  Ｂｅｔｗｅｅｎ  Ａｃｃｏｍｍｏｄａｔｉｏｎ  ａｎｄ  Ｃｏｎｖｅｒｇｅｎｃｅ，"Ｊｏｕｒｎａｌ  ｏｆ  ｔｈｅ  Ｓｏｃｉｅｔｙ  ｆｏｒ  Ｉｎｆｏｒｍａｔｉｏｎ  Ｄｉｓｐｌａｙ  １３：６６５−６７１（２００５）．
（非特許文献７７）  Ｓｈｉｗａ  ｅｔ  ａｌ．，"Ｐｒｏｐｏｓａｌ  ｆｏｒ  ａ  ３−Ｄ  Ｄｉｓｐｌａｙ  ｗｉｔｈ  Ａｃｃｏｍｍｏｄａｔｉｖｅ  Ｃｏｍｐｅｎｓａｔｉｏｎ：  ３ＤＤＡＣ，"Ｊｏｕｒｎａｌ  ｏｆ  ｔｈｅ  Ｓｏｃｉｅｔｙ  ｆｏｒ  Ｉｎｆｏｒｍａｔｉｏｎ  Ｄｉｓｐｌａｙ  ４：２５５−２６１（１９９６）．
（非特許文献７８）  Ｓｕｌｌｉｖａｎ，"Ａ  Ｓｏｌｉｄ−Ｓｔａｔｅ  Ｍｕｌｔｉ−Ｐｌａｎａｒ  Ｖｏｌｕｍｅｔｒｉｃ  Ｄｉｓｐｌａｙ，"ＳＩＤ  Ｓｙｍｐｏｓｉｕｍ  Ｄｉｇｅｓｔ  ｏｆ  Ｔｅｃｈｎｉｃａｌ  Ｐａｐｅｒｓ  ３４：３５４−３５６（２００３）．
（非特許文献７９）  Ｖａｒｉｏｐｔｉｃ，"Ｖｉｄｅｏ  Ａｕｔｏ  Ｆｏｃｕｓ  ａｎｄ  Ｏｐｔｉｃａｌ  Ｉｍａｇｅ  Ｓｔａｂｉｌｉｚａｔｉｏｎ，"ｈｔｔｐ：／／ｖｖｗｗ．ｖａｒｉｏｐｔｉｃ．ｃｏｍ／ｅｎ／ｈｏｍｅ．ｈｔｍｌ，２  ｐａｇｅｓ（２００８）．
（非特許文献８０）  Ｗａｎｎ  ｅｔ  ａｌ．，"Ｎａｔｕｒａｌ  Ｐｒｏｂｌｅｍｓ  ｆｏｒ  Ｓｔｅｒｅｏｓｃｏｐｉｃ  Ｄｅｐｔｈ  Ｐｅｒｃｅｐｔｉｏｎ  ｉｎ  Ｖｉｒｔｕａｌ  Ｅｎｖｉｒｏｎｍｅｎｔｓ，Ｖｉｓｉｏｎ  Ｒｅｓ．３５：２７３１−２７３６（１９９５）．
（非特許文献８１）  Ｗａｔｔ  ｅｔ  ａｌ．，"Ｆｏｃｕｓ  Ｃｕｅｓ  Ａｆｆｅｃｔ  Ｐｅｒｃｅｉｖｅｄ  Ｄｅｐｔｈ，"Ｊ  Ｖｉｓｉｏｎ  ５：８３４−８６２  （２００５）．
（非特許文献８２）  Ｌｏｖｅ  ｅｔ  ａｌ．（Ｈｉｇｈ  Ｓｐｅｅｄ  ｓｗｉｔｃｈａｂｌｅ  ｌｅｎｓ  ｅｎａｂｌｅｓ  ｔｈｅ  ｄｅｖｅｌｏｐｍｅｎｔ  ｏｆ  ａ  ｖｏｌｕｍｅｔｒｉｃ  ｓｔｅｒｅｏｓｃｏｐｉｃ  ｄｉｓｐｌａｙ．Ａｕｇ  ２００９，Ｏｐｔｉｃｓ  Ｅｘｐｒｅｓｓ．Ｖｏｌ．１７，Ｎｏ．１８，Ｐａｇｅｓ  １５７１６−１５７２５．）
（非特許文献８３）  Ｈｉｄｅｎｏｒｉ  Ｋｕｒｉｙａｂａｓｈｉ，Ｍｕｎｅｋａｚｕ  Ｄａｔｅ，Ｓｈｉｒｏ  Ｓｕｙａｍａ，Ｔｏｙｏｈｉｋｏ  ＨａｔａｄａＪ．ｏｆ  ｔｈｅ  ＳＩＤ  １４／５，２００６  ｐｐ  ４９３−４９８
（非特許文献８４）  Ａ．Ｔ．Ｄｕｃｈｏｗｓｋｉ，"Ｉｎｃｏｒｐｏｒａｔｉｎｇ  ｔｈｅ  ｖｉｅｗｅｒ’ｓ  Ｐｏｉｎｔ−Ｏｆ−Ｒｅｇａｒｄ（ＰＯＲ）  ｉｎ  ｇａｚｅ−ｃｏｎｔｉｎｇｅｎｔ  ｖｉｒｔｕａｌ  ｅｎｖｉｒｏｎｍｅｎｔｓ，"ＳＰＩＥ−Ｉｎｔ．Ｓｏｃ．Ｏｐｔ．Ｅｎｇ．Ｐｒｏｃｅｅｄｉｎｇｓ  ｏｆ  Ｓｐｉｅ  −  ｔｈｅ  Ｉｎｔｅｒｎａｔｉｏｎａｌ  Ｓｏｃｉｅｔｙ  ｆｏｒ  Ｏｐｔｉｃａｌ  Ｅｎｇｉｎｅｅｒｉｎｇ，ｖｏｌ．３２９５，１９９８，ｐｐ．３３２−４３．
（非特許文献８５）  Ｔ．Ａｎｄｏ，Ｋ．Ｙａｍａｓａｋｉ，Ｍ．Ｏｋａｍｏｔｏ，ａｎｄ  Ｅ．Ｓｈｉｍｉｚｕ，"Ｈｅａｄ  Ｍｏｕｎｔｅｄ  Ｄｉｓｐｌａｙ  ｕｓｉｎｇ  ｈｏｌｏｇｒａｐｈｉｃ  ｏｐｔｉｃａｌ  ｅｌｅｍｅｎｔ，"Ｐｒｏｃ．ＳＰＩＥ，Ｖｏｌ．３２９３，１８３（１９９８）．
（非特許文献８６）  Ｃｕｒａｔｕ，Ｃ．，Ｊ．Ｐ．Ｒｏｌｌａｎｄ，ａｎｄ  Ｈｏｎｇ  Ｈｕａ，"Ｄｕａｌ  ｐｕｒｐｏｓｅ  ｌｅｎｓ  ｆｏｒ  ａｎ  ｅｙｅ−ｔｒａｃｋｅｄ  ｐｒｏｊｅｃｔｉｏｎ  ｈｅａｄ−ｍｏｕｎｔｅｄ  ｄｉｓｐｌａｙ，"Ｐｒｏｃｅｅｄｉｎｇｓ  ｏｆ  Ｉｎｔｅｒｎａｔｉｏｎａｌ  Ｏｐｔｉｃａｌ  Ｄｅｓｉｇｎ  Ｃｏｎｆｅｒｅｎｃｅ，Ｖａｎｃｏｕｖｅｒ，Ｃａｎａｄａ，Ｊｕｎｅ  ２００６．
（非特許文献８７）  Ｄ．Ｃｈｅｎｇ，Ｙ．Ｗａｎｇ，Ｈ．Ｈｕａ，ａｎｄ  Ｍ．Ｍ．Ｔａｌｈａ，"Ｄｅｓｉｇｎ  ｏｆ  ａｎ  ｏｐｔｉｃａｌ  ｓｅｅ−ｔｈｒｏｕｇｈ  ｈｅａｄｍｏｕｎｔｅｄ  ｄｉｓｐｌａｙ  ｗｉｔｈ  ａ  ｌｏｗ  ｆ−ｎｕｍｂｅｒ  ａｎｄ  ｌａｒｇｅ  ｆｉｅｌｄ  ｏｆ  ｖｉｅｗ  ｕｓｉｎｇ  ａ  ｆｒｅｅｆｏｒｍ  ｐｒｉｓｍ，"Ａｐｐｌ．Ｏｐｔ．，４８（１４）：２６５５−２６６８，２００９．
（非特許文献８８）  Ｄ．Ｃｈｅｎｇ，Ｙ．Ｗａｎｇ，Ｈ．Ｈｕａ，Ｊ．Ｓａｓｉａｎ，"Ｄｅｓｉｇｎ  ｏｆ  ａ  ｗｉｄｅ−ａｎｇｌｅ，ｌｉｇｈｔｗｅｉｇｈｔ  ｈｅａｄｍｏｕｎｔｅｄ  ｄｉｓｐｌａｙ  ｕｓｉｎｇ  ｆｒｅｅ−ｆｏｒｍ  ｏｐｔｉｃｓ  ｔｉｌｉｎｇ，"Ｏｐｔ．Ｌｅｔｔ．，３６（１１）：２０９８−１００，２０１１．
（非特許文献８９）  Ｊ．Ｇ．Ｄｒｏｅｓｓｌｅｒ，Ｄ．Ｊ．Ｒｏｔｉｅｒ，"Ｔｉｌｔｅｄ  ｃａｔ  ｈｅｌｍｅｔ−ｍｏｕｎｔｅｄ  ｄｉｓｐｌａｙ，"Ｏｐｔ．Ｅｎｇ．，Ｖｏｌ．２９，８４９（１９９０）．
（非特許文献９０）  Ｄｕｃｈｏｗｓｋｉ，Ａ．，"Ｅｙｅｔｒａｃｋｉｎｇ  Ｍｅｔｈｏｄｏｌｏｇｙ：  ｔｈｅｏｒｙ  ａｎｄ  ｐｒａｃｔｉｃｅ，"Ｐｕｂｌｉｓｈｅｒ：  Ｓｐｒｉｎｇｅｒ，２００３．
（非特許文献９１）  Ｄｕｃｈｏｗｓｋｉ，Ａ．Ｔ．，ａｎｄ  Ａ．Ｃｏｌｔｅｋｉｎ，"Ｆｏｖｅａｔｅｄ  ｇａｚｅ−ｃｏｎｔｉｎｇｅｎｔ  ｄｉｓｐｌａｙｓ  ｆｏｒ  ｐｅｒｉｐｈｅｒａｌ  ＬＯＤ  ｍａｎａｇｅｍｅｎｔ，３Ｄ  ｖｉｓｕａｌｉｚａｔｉｏｎ，ａｎｄ  ｓｔｅｒｅｏ  ｉｍａｇｉｎｇ，"ＡＣＭ  Ｔｒａｎｓ．ｏｎ  Ｍｕｌｔ．Ｃｏｍｐ．，Ｃｏｍｍ．，ａｎｄ  Ａｐｐ．３，１−２１，（２００７）．
（非特許文献９２）  Ｐ．Ｇａｂｂｕｒ，Ｈ．Ｈｕａ，ａｎｄ  Ｋ．Ｂａｒｎａｒｄ，‘Ａ  ｆａｓｔ  ｃｏｎｎｅｃｔｅｄ  ｃｏｍｐｏｎｅｎｔｓ  ｌａｂｅｌｉｎｇ  ａｌｇｏｒｉｔｈｍ  ｆｏｒ  ｒｅａｌ−ｔｉｍｅ  ｐｕｐｉｌ  ｄｅｔｅｃｔｉｏｎ，’Ｍａｃｈ．Ｖｉｓｉｏｎ  Ａｐｐｌ．，２１（５）：７７９−７８７，２０１０．
（非特許文献９３）  Ｇｅｉｓｌｅｒ，Ｗ．Ｓ．，Ｊ．Ｓ．Ｐｅｒｒｙ  ａｎｄ  Ｊ．Ｎａｊｅｍｎｉｋ，"Ｖｉｓｕａｌ  ｓｅａｒｃｈ：  Ｔｈｅ  ｒｏｌｅ  ｏｆ  ｐｅｒｉｐｈｅｒａｌ  ｉｎｆｏｒｍａｔｉｏｎ  ｍｅａｓｕｒｅｄ  ｕｓｉｎｇ  ｇａｚｅ−ｃｏｎｔｉｎｇｅｎｔ  ｄｉｓｐｌａｙｓ，"Ｊ．Ｖｉｓｉｏｎ  ６，８５８−８７３（２００６）．
（非特許文献９４）  Ｈ．Ｈｏｓｈｉ，Ｎ．Ｔａｎｉｇｕｃｈｉ，Ｈ．Ｍｏｒｉｓｈｉｍａ，Ｔ．Ａｋｉｙａｍａ，Ｓ．Ｙａｍａｚａｋｉ  ａｎｄ  Ａ．Ｏｋｕｙａｍａ，"Ｏｆｆａｘｉａｌ  ＨＭＤ  ｏｐｔｉｃａｌ  ｓｙｓｔｅｍ  ｃｏｎｓｉｓｔｉｎｇ  ｏｆ  ａｓｐｈｅｒｉｃａｌ  ｓｕｒｆａｃｅｓ  ｗｉｔｈｏｕｔ  ｒｏｔａｔｉｏｎａｌ  ｓｙｍｍｅｔｒｙ，"ＳＰＩＥ  Ｖｏｌ．２６５３，２３４（１９９６）．
（非特許文献９５）  Ｈｕａ，Ｈ，"Ｉｎｔｅｇｒａｔｉｏｎ  ｏｆ  ｅｙｅ  ｔｒａｃｋｉｎｇ  ｃａｐａｂｉｌｉｔｙ  ｉｎｔｏ  ｏｐｔｉｃａｌ  ｓｅｅ−ｔｈｒｏｕｇｈ  ｈｅａｄｍｏｕｎｔｅｄ  ｄｉｓｐｌａｙｓ，"Ｐｒｏｃｅｅｄｉｎｇｓ  ｏｆ  ＳＰＩＥ（Ｅｌｅｃｔｒｏｎｉｃ  Ｉｍａｇｉｎｇ  ２００１），ｐｐ．４９６−５０３，Ｊａｎｕａｒｙ  ２００１．
（非特許文献９６）  Ｈ．Ｈｕａ，Ｃ．Ｐａｎｓｉｎｇ，ａｎｄ  Ｊ．Ｐ．Ｒｏｌｌａｎｄ，"Ｍｏｄｅｌｉｎｇ  ｏｆ  ａｎ  ｅｙｅ−ｉｍａｇｉｎｇ  ｓｙｓｔｅｍ  ｆｏｒ  ｏｐｔｉｍｉｚｉｎｇ  ｉｌｌｕｍｉｎａｔｉｏｎ  ｓｃｈｅｍｅｓ  ｉｎ  ａｎ  ｅｙｅ−ｔｒａｃｋｅｄ  ｈｅａｄ−ｍｏｕｎｔｅｄ  ｄｉｓｐｌａｙ，"Ａｐｐｌ．Ｏｐｔ．，４６（３１）：７７５７−７５，Ｏｃｔｏｂｅｒ  ２００７．
（非特許文献９７）  Ｈ．Ｈｕａ，Ｐ．Ｋｒｉｓｈｎａｓｗａｍｙ，ａｎｄ  Ｊ．Ｐ．Ｒｏｌｌａｎｄ，‘Ｖｉｄｅｏ−ｂａｓｅｄ  ｅｙｅｔｒａｃｋｉｎｇ  ｍｅｔｈｏｄｓ  ａｎｄ  ａｌｇｏｒｉｔｈｍｓ  ｉｎ  ｈｅａｄ−ｍｏｕｎｔｅｄ  ｄｉｓｐｌａｙｓ，’Ｏｐｔ．Ｅｘｐｒｅｓｓ，１４（１０）：４３２８−５０，Ｍａｙ  ２００６．
（非特許文献９８）  Ｈｕａ，Ｈ．，Ｃ．Ｐａｎｓｉｎｇ，ａｎｄ  Ｊ．Ｐ．Ｒｏｌｌａｎｄ，"Ｍｏｄｅｌｉｎｇ  ｏｆ  ａｎ  ｅｙｅ−ｉｍａｇｉｎｇ  ｓｙｓｔｅｍ  ｆｏｒ  ｏｐｔｉｍｉｚｉｎｇ  ｉｌｌｕｍｉｎａｔｉｏｎ  ｓｃｈｅｍｅｓ  ｉｎ  ａｎ  ｅｙｅ−ｔｒａｃｋｅｄ  ｈｅａｄ−ｍｏｕｎｔｅｄ  ｄｉｓｐｌａｙ，"Ａｐｐｌｉｅｄ  Ｏｐｔｉｃｓ，４６（３２）：  １−１４，Ｎｏｖｅｍｂｅｒ  ２００７．
（非特許文献９９）  Ｊ．Ｐ．Ｒｏｌｌａｎｄ，"Ｗｉｄｅ−ａｎｇｌｅ，ｏｆｆ−ａｘｉｓ，ｓｅｅ−ｔｈｒｏｕｇｈ  ｈｅａｄ−ｍｏｕｎｔｅｄ  ｄｉｓｐｌａｙ，"Ｏｐｔ．Ｅｎｇ．，Ｖｏｌ．３９，１７６０（２０００）．
（非特許文献１００）  Ｋ．Ｉｗａｍｏｔｏ，Ｋ．Ｔａｎｉｅ，Ｔ．Ｔ．Ｍａｅｄａ，"Ａ  ｈｅａｄ−ｍｏｕｎｔｅｄ  ｅｙｅ  ｍｏｖｅｍｅｎｔ  ｔｒａｃｋｉｎｇ  ｄｉｓｐｌａｙ  ａｎｄ  ｉｔｓ  ｉｍａｇｅ  ｄｉｓｐｌａｙ  ｍｅｔｈｏｄ，"Ｓｙｓｔｅｍｓ  &  Ｃｏｍｐｕｔｅｒｓ  ｉｎ  Ｊａｐａｎ，ｖｏｌ．２８，ｎｏ．７，３０  Ｊｕｎｅ  １９９７，ｐｐ．８９−９９．Ｐｕｂｌｉｓｈｅｒ：  Ｓｃｒｉｐｔａ  Ｔｅｃｈｎｉｃａ，ＵＳＡ．
（非特許文献１０１）  Ｋ．Ｉｗａｍｏｔｏ，Ｓ．Ｋａｔｓｕｍａｔａ，Ｋ．Ｔａｎｉｅ，"Ａｎ  ｅｙｅ  ｍｏｖｅｍｅｎｔ  ｔｒａｃｋｉｎｇ  ｔｙｐｅ  ｈｅａｄ  ｍｏｕｎｔｅｄ  ｄｉｓｐｌａｙ  ｆｏｒ  ｖｉｒｔｕａｌ  ｒｅａｌｉｔｙ  ｓｙｓｔｅｍ：−ｅｖａｌｕａｔｉｏｎ  ｅｘｐｅｒｉｍｅｎｔｓ  ｏｆ  ａ  ｐｒｏｔｏｔｙｐｅ  ｓｙｓｔｅｍ，"Ｐｒｏｃｅｅｄｉｎｇｓ  ｏｆ  １９９４  ＩＥＥＥ  Ｉｎｔｅｒｎａｔｉｏｎａｌ  Ｃｏｎｆｅｒｅｎｃｅ  ｏｎ  Ｓｙｓｔｅｍｓ，Ｍａｎ，ａｎｄ  Ｃｙｂｅｒｎｅｔｉｃｓ．Ｈｕｍａｎｓ，Ｉｎｆｏｒｍａｔｉｏｎ  ａｎｄ  Ｔｅｃｈｎｏｌｏｇｙ（Ｃａｔ．Ｎｏ．９４ＣＨ３５７１−５）．ＩＥＥＥ．Ｐａｒｔ  ｖｏｌ．１，１９９４，ｐｐ．１３−１８  ｖｏｌ．１．Ｎｅｗ  Ｙｏｒｋ，ＮＹ，ＵＳＡ．
（非特許文献１０２）  Ｌａｕｒｅｎｃｅ  Ｒ．Ｙｏｕｎｇ，Ｄａｖｉｄ  Ｓｈｅｅｎａ，"Ｓｕｒｖｅｙ  ｏｆ  ｅｙｅ  ｍｏｖｅｍｅｎｔ  ｒｅｃｏｒｄｉｎｇ  ｍｅｔｈｏｄｓ，"Ｂｅｈａｖｉｏｒ  Ｒｅｓｅａｒｃｈ  Ｍｅｔｈｏｄｓ  &  Ｉｎｓｔｒｕｍｅｎｔａｔｉｏｎ，７（５），３９７−４２９，１９７５．
（非特許文献１０３）  Ｌｏｓｃｈｋｙ，Ｌ．Ｃ．ａｎｄ  Ｗｏｌｖｅｒｔｏｎ，Ｇ．Ｓ．，"Ｈｏｗ  ｌａｔｅ  ｃａｎ  ｙｏｕ  ｕｐｄａｔｅ  ｇａｚｅ−ｃｏｎｔｉｎｇｅｎｔ  ｍｕｌｔｉｒｅｓｏｌｕｔｉｏｎａｌ  ｄｉｓｐｌａｙｓ  ｗｉｔｈｏｕｔ  ｄｅｔｅｃｔｉｏｎ？"ＡＣＭ  Ｔｒａｎｓ．Ｍｕｌｔ．Ｃｏｍｐ．Ｃｏｍｍ．ａｎｄ  Ａｐｐ．３，Ｎｏｖｅｍｂｅｒ  ２００７．
（非特許文献１０４）  Ｍ．Ｄ．Ｍｉｓｓｉｇ  ａｎｄ  Ｇ．Ｍ．Ｍｏｒｒｉｓ，"Ｄｉｆｆｒａｃｔｉｖｅ  ｏｐｔｉｃｓ  ａｐｐｌｉｅｄ  ｔｏ  ｅｙｅｐｉｅｃｅ  ｄｅｓｉｇｎ，"Ａｐｐｌ．Ｏｐｔ．３４，２４５２−２４６１（１９９５）．
（非特許文献１０５）  Ｍ．Ｌ．Ｔｈｏｍａｓ，Ｗ．Ｐ．Ｓｉｅｇｍｕｎｄ，Ｓ．Ｅ．Ａｎｔｏｓ，ａｎｄ  Ｒ．Ｍ．Ｒｏｂｉｎｓｏｎ，"Ｆｉｂｅｒ  ｏｐｔｉｃ  ｄｅｖｅｌｏｐｍｅｎｔ  ｆｏｒ  ｕｓｅ  ｏｎ  ｔｈｅ  ｆｉｂｅｒ  ｏｐｔｉｃ  ｈｅｌｍｅｔ−ｍｏｕｎｔｅｄ  ｄｉｓｐｌａｙ，"Ｈｅｌｍｅｔ−Ｍｏｕｎｔｅｄ  Ｄｉｓｐｌａｙｓ，Ｊ．Ｔ．Ｃａｒｏｌｌｏ，ｅｄ．，Ｐｒｏｃ．ＳＰＩＥ  １１６，９０−１０１，１９８９．
（非特許文献１０６）  Ｏ．Ｃａｋｍａｋｃｉ，Ｂ．Ｍｏｏｒｅ，Ｈ．Ｆｏｒｏｏｓｈ，ａｎｄ  Ｊ．Ｐ．Ｒｏｌｌａｎｄ，"Ｏｐｔｉｍａｌ  ｌｏｃａｌ  ｓｈａｐｅ  ｄｅｓｃｒｉｐｔｉｏｎ  ｆｏｒ  ｒｏｔａｔｉｏｎａｌｌｙ  ｎｏｎ−ｓｙｍｍｅｔｒｉｃ  ｏｐｔｉｃａｌ  ｓｕｒｆａｃｅ  ｄｅｓｉｇｎ  ａｎｄ  ａｎａｌｙｓｉｓ，"Ｏｐｔ．Ｅｘｐｒｅｓｓ  １６，１５８３−１５８９（２００８）．
（非特許文献１０７）  Ｒ．Ｊ．Ｊａｃｏｂ，"Ｔｈｅ  ｕｓｅ  ｏｆ  ｅｙｅ  ｍｏｖｅｍｅｎｔｓ  ｉｎ  ｈｕｍａｎ−ｃｏｍｐｕｔｅｒ  ｉｎｔｅｒａｃｔｉｏｎ  ｔｅｃｈｎｉｑｕｅｓ：  ｗｈａｔ  ｙｏｕ  ｌｏｏｋ  ａｔ  ｉｓ  ｗｈａｔ  ｙｏｕ  ｇｅｔ，"ＡＣＭ  Ｔｒａｎｓａｃｔｉｏｎｓ  ｏｎ  Ｉｎｆｏｒｍａｔｉｏｎ  Ｓｙｓｔｅｍｓ，９（２），１５２−６９，１９９１．
（非特許文献１０８）  Ｒｅｉｎｇｏｌｄ，Ｅ．Ｍ．，Ｌ．Ｃ．Ｌｏｓｃｈｋｙ，Ｇ．Ｗ．ＭｃＣｏｎｋｉｅ  ａｎｄ  Ｄ．Ｍ．Ｓｔａｍｐｅ，"Ｇａｚｅｃｏｎｔｉｎｇｅｎｔ  ｍｕｌｔｉｒｅｓｏｌｕｔｉｏｎａｌ  ｄｉｓｐｌａｙｓ：  Ａｎ  ｉｎｔｅｇｒａｔｉｖｅ  ｒｅｖｉｅｗ，"Ｈｕｍ．Ｆａｃｔｏｒｓ  ４５，３０７−３２８  （２００３）．
（非特許文献１０９）  Ｒｏｌｌａｎｄ，Ｊ．Ｐ．，Ａ．Ｙｏｓｈｉｄａ，Ｌ．Ｄ．Ｄａｖｉｓ  ａｎｄ  Ｊ．Ｈ．Ｒｅｉｆ，"Ｈｉｇｈ−ｒｅｓｏｌｕｔｉｏｎ  ｉｎｓｅｔ  ｈｅａｄｍｏｕｎｔｅｄ  ｄｉｓｐｌａｙ，"Ａｐｐｌ．Ｏｐｔ．３７，４１８３−９３  （１９９８）．
（非特許文献１１０）  Ｗａｒｔｅｎｂｅｒｇ，Ｐｈｉｌｉｐｐ，"ＥｙｅＣａｔｃｈｅｒ，ｔｈｅ  Ｂｉ−ｄｉｒｅｃｔｉｏｎａｌ  ＯＬＥＤ  Ｍｉｃｒｏｄｉｓｐｌａｙ，"Ｐｒｏｃ．ｏｆ  ＳＩＤ  ２０１１．
（非特許文献１１１）  Ｉｎｔｅｒｎａｔｉｏｎａｌ  Ｓｅａｒｃｈ  Ｒｅｐｏｒｔ  ｄａｔｅｄ  Ｊａｎｕａｒｙ  ２９，２０１４  ｉｎ  ｃｏｒｒｅｓｐｏｎｄｉｎｇ  ｉｎｔｅｒｎａｔｉｏｎａｌ  ａｐｐｌｉｃａｔｉｏｎ  ＰＣＴ／ＵＳ２０１３／０６５４２２．
（非特許文献１１２）  Ｘｉｎｄａ  Ｈｕ  ａｎｄ  Ｈｏｎｇ  Ｈｕａ，"Ｈｉｇｈ−ｒｅｓｏｌｕｔｉｏｎ  ｏｐｔｉｃａｌ  ｓｅｅ−ｔｈｒｏｕｇｈ  ｍｕｌｔｉ−ｆｏｃａｌ−ｐｌａｎｅ  ｈｅａｄ−ｍｏｕｎｔｅｄ  ｄｉｓｐｌａｙ  ｕｓｉｎｇ  ｆｒｅｅｆｏｒｍ  ｏｐｔｉｃｓ，"Ｏｐｔｉｃｓ  Ｅｘｐｒｅｓｓ，２２（１１）：  １３８９６−１３９０３，Ｊｕｎｅ  ２０１４．
（非特許文献１１３）  Ｘｉｎ  Ｓｈｅｎ，Ｙｕ−Ｊｅｎ  Ｗａｎｇ，Ｈｕｎｇ−Ｓｈａｎ  Ｃｈｅｎ，Ｘｉａｏ  Ｘｉａｏ，Ｙｉ−Ｈｓｉｎ  Ｌｉｎ，ａｎｄ  Ｂａｈｒａｍ  Ｊａｖｉｄｉ，"Ｅｘｔｅｎｄｅｄ  ｄｅｐｔｈ−ｏｆ−ｆｏｃｕｓ  ３Ｄ  ｍｉｃｒｏ  ｉｎｔｅｇｒａｌ  ｉｍａｇｉｎｇ  ｄｉｓｐｌａｙ  ｕｓｉｎｇ  ａ  ｂｉｆｏｃａｌ  ｌｉｑｕｉｄ  ｃｒｙｓｔａｌ  ｌｅｎｓ，"Ｏｐｔｉｃｓ  Ｌｅｔｔｅｒｓ，ｖｏｌ．４０，ｉｓｓｕｅ  ４，ｐｐ  ５３８−５４１  （９  Ｆｅｂｒｕａｒｙ  ２０１５）
（非特許文献１１４）  Ｓ．Ｈｏｎｇ，Ｊ．Ｊａｎｇ，ａｎｄ  Ｂ．Ｊａｖｉｄｉ，"Ｔｈｒｅｅ−ｄｉｍｅｎｓｉｏｎａｌ  ｖｏｌｕｍｅｔｒｉｃ  ｏｂｊｅｃｔ  ｒｅｃｏｎｓｔｒｕｃｔｉｏｎ  ｕｓｉｎｇ  ｃｏｍｐｕｔａｔｉｏｎａｌ  ｉｎｔｅｇｒａｌ  ｉｍａｇｉｎｇ，"Ｊｏｕｒｎａｌ  ｏｆ  Ｏｐｔｉｃｓ  Ｅｘｐｒｅｓｓ，ｏｎ−ｌｉｎｅ  Ｊｏｕｒｎａｌ  ｏｆ  ｔｈｅ  Ｏｐｔｉｃａｌ  Ｓｏｃｉｅｔｙ  ｏｆ  Ａｍｅｒｉｃａ，Ｖｏｌ．１２，Ｎｏ．３，ｐｐ．４８３−４９１，Ｆｅｂｒｕａｒｙ  ０９，２００４．
（非特許文献１１５）  Ｓ．Ｋｉｓｈｋ  ａｎｄ  Ｂ．Ｊａｖｉｄｉ，"Ｉｍｐｒｏｖｅｄ  Ｒｅｓｏｌｕｔｉｏｎ  ３Ｄ  Ｏｂｊｅｃｔ  Ｓｅｎｓｉｎｇ  ａｎｄ  Ｒｅｃｏｇｎｉｔｉｏｎ  ｕｓｉｎｇ  ｔｉｍｅ  ｍｕｌｔｉｐｌｅｘｅｄ  Ｃｏｍｐｕｔａｔｉｏｎａｌ  Ｉｎｔｅｇｒａｌ  Ｉｍａｇｉｎｇ，"Ｏｐｔｉｃｓ  Ｅｘｐｒｅｓｓ，ｏｎ−ｌｉｎｅ  Ｊｏｕｒｎａｌ  ｏｆ  ｔｈｅ  Ｏｐｔｉｃａｌ  Ｓｏｃｉｅｔｙ  ｏｆ  Ａｍｅｒｉｃａ，ｖｏｌ．１１，ｎｏ．２６，ｐｐ．３５２８−３５４１，Ｄｅｃｅｍｂｅｒ  ２９，２００３．
（非特許文献１１６）  Ｒ．Ｓｃｈｕｌｅｉｎ，Ｃ．Ｄｏ，ａｎｄ  Ｂ．Ｊａｖｉｄｉ，"Ｄｉｓｔｏｒｔｉｏｎ−ｔｏｌｅｒａｎｔ  ３Ｄ  ｒｅｃｏｇｎｉｔｉｏｎ  ｏｆ  ｕｎｄｅｒｗａｔｅｒ  ｏｂｊｅｃｔｓ  ｕｓｉｎｇ  ｎｅｕｒａｌ  ｎｅｔｗｏｒｋｓ，"Ｊｏｕｒｎａｌ  ｏｆ  Ｏｐｔｉｃａｌ  Ｓｏｃｉｅｔｙ  ｏｆ  Ａｍｅｒｉｃａ  Ａ，ｖｏｌ．２７，ｎｏ．３，ｐｐ  ４６１−４６８，Ｍａｒｃｈ  ２０１０．
（非特許文献１１７）  Ｃ．Ｍａｎｈ  Ｄｏ，Ｒ．Ｍａｒｔ?ｎｅｚ−Ｃｕｅｎｃａ，ａｎｄ  Ｂ．Ｊａｖｉｄｉ，"Ｔｈｒｅｅ−ｄｉｍｅｎｓｉｏｎａｌ  ｏｂｊｅｃｔ−ｄｉｓｔｏｒｔｉｏｎ−ｔｏｌｅｒａｎｔ  ｒｅｃｏｇｎｉｔｉｏｎ  ｆｏｒ  ｉｎｔｅｇｒａｌ  ｉｍａｇｉｎｇ  ｕｓｉｎｇ  ｉｎｄｅｐｅｎｄｅｎｔ  ｃｏｍｐｏｎｅｎｔ  ａｎａｌｙｓｉｓ，"Ｊｏｕｒｎａｌ  ｏｆ  Ｏｐｔｉｃａｌ  Ｓｏｃｉｅｔｙ  ｏｆ  Ａｍｅｒｉｃａ  Ａ  ２６，ｉｓｓｕｅ  ２，ｐｐ  ２４５−２５１  （１  Ｆｅｂｒｕａｒｙ  ２００９）．
（非特許文献１１８）  Ｓ．Ｈｏｎｇ  ａｎｄ  Ｂ．Ｊａｖｉｄｉ，"Ｄｉｓｔｏｒｔｉｏｎ−ｔｏｌｅｒａｎｔ  ３Ｄ  ｒｅｃｏｇｎｉｔｉｏｎ  ｏｆ  ｏｃｃｌｕｄｅｄ  ｏｂｊｅｃｔｓ  ｕｓｉｎｇ  ｃｏｍｐｕｔａｔｉｏｎａｌ  ｉｎｔｅｇｒａｌ  ｉｍａｇｉｎｇ，"Ｊｏｕｒｎａｌ  ｏｆ  Ｏｐｔｉｃｓ  Ｅｘｐｒｅｓｓ，Ｖｏｌ．１４，Ｉｓｓｕｅ  ２５，ｐｐ．１２０８５−１２０９５，Ｄｅｃｅｍｂｅｒ  １１，２００６．
（非特許文献１１９）  Ｃｈｒｉｓｔｏｐｈｅｒ  Ｍ．Ｂｉｓｈｏｐ，Ｎｅｕｒａｌ  Ｎｅｔｗｏｒｋｓ  ｆｏｒ  Ｐａｔｔｅｒｎ  Ｒｅｃｏｇｎｉｔｉｏｎ，Ｏｘｆｏｒｄ  Ｕｎｉｖｅｒｓｉｔｙ  Ｐｒｅｓｓ，Ｉｎｃ．Ｎｅｗ  Ｙｏｒｋ，ＮＹ  １９９５．
（非特許文献１２０）  Ｍ．Ｄａｎｅｓｈｐａｎａｈ，Ｂ．Ｊａｖｉｄｉ，ａｎｄ  Ｅ．Ｗａｔｓｏｎ，"Ｔｈｒｅｅ  ｄｉｍｅｎｓｉｏｎａｌ  ｉｎｔｅｇｒａｌ  ｉｍａｇｉｎｇ  ｗｉｔｈ  ｒａｎｄｏｍｌｙ  ｄｉｓｔｒｉｂｕｔｅｄ  ｓｅｎｓｏｒｓ，"Ｊｏｕｒｎａｌ  ｏｆ  Ｏｐｔｉｃｓ  Ｅｘｐｒｅｓｓ，Ｖｏｌ．１６，Ｉｓｓｕｅ  ９，ｐｐ．６３６８−６３７７，Ａｐｒｉｌ  ２１，２００８．
（非特許文献１２１）  Ｒ．Ｓｃｈｕｌｅｉｎ，Ｍ．ＤａｎｅｓｈＰａｎａｈ，ａｎｄ  Ｂ．Ｊａｖｉｄｉ，"３Ｄ  ｉｍａｇｉｎｇ  ｗｉｔｈ  ａｘｉａｌｌｙ  ｄｉｓｔｒｉｂｕｔｅｄ  ｓｅｎｓｉｎｇ，"Ｊｏｕｒｎａｌ  ｏｆ  Ｏｐｔｉｃｓ  Ｌｅｔｔｅｒｓ，Ｖｏｌ．３４，Ｉｓｓｕｅ  １３，ｐｐ．２０１２−２０１４，１  Ｊｕｌｙ  ２００９．
（非特許文献１２２）  Ｙａｎｏ，Ｓ．，Ｅｍｏｔｏ，Ｍ．，Ｍｉｔｓｕｈａｓｈｉ，Ｔ．，ａｎｄ  Ｔｈｗａｉｔｅｓ，Ｈ．，"Ａ  ｓｔｕｄｙ  ｏｆ  ｖｉｓｕａｌ  ｆａｔｉｇｕｅ  ａｎｄ  ｖｉｓｕａｌ  ｃｏｍｆｏｒｔ  ｆｏｒ  ３Ｄ  ＨＤＴＶ／ＨＤＴＶ  ｉｍａｇｅｓ，"Ｄｉｓｐｌａｙｓ，２３（４），ｐｐ．１９１−２０１，２００２．
（非特許文献１２３）  Ｄ．Ｍ．Ｈｏｆｆｍａｎ，Ａ．Ｒ．Ｇｉｒｓｈｉｃｋ，Ｋ．Ａｋｅｌｅｙ，ａｎｄ  Ｍ．Ｓ．Ｂａｎｋｓ，"Ｖｅｒｇｅｎｃｅ−Ａｃｃｏｍｍｏｄａｔｉｏｎ  Ｃｏｎｆｌｉｃｔｓ  Ｈｉｎｄｅｒ  Ｖｉｓｕａｌ  Ｐｅｒｆｏｒｍａｎｃｅ  ａｎｄ  Ｃａｕｓｅ  Ｖｉｓｕａｌ  Ｆａｔｉｇｕｅ，"Ｊ．Ｖｉｓｉｏｎ，８（３），１−３０，（２００８）．
（非特許文献１２４）  Ｇ．Ｌｉｐｐｍａｎｎ，"Ｅｐｒｅｕｖｅｓ  ｒｅｖｅｒｓｉｂｌｅｓ  ｄｏｎｎａｎｔ  ｌａ  ｓｅｎｓａｔｉｏｎ  ｄｕ  ｒｅｌｉｅｆ，"Ｊｏｕｒｎａｌ  ｏｆ  Ｐｈｙｓｉｃｓ  （Ｐａｒｉｓ）  ７，８２１−８２５  （１９０８）．
（非特許文献１２５）  Ｃ．Ｂ．Ｂｕｒｃｋｈａｒｄｔ，"Ｏｐｔｉｍｕｍ  ｐａｒａｍｅｔｅｒｓ  ａｎｄ  ｒｅｓｏｌｕｔｉｏｎ  ｌｉｍｉｔａｔｉｏｎ  ｏｆ  ｉｎｔｅｇｒａｌ  ｐｈｏｔｏｇｒａｐｈｙ，"Ｊ．Ｏｐｔ．Ｓｏｃ．Ａｍ．５８，７１−７６  （１９６８）．
（非特許文献１２６）  Ｔ．Ｏｋｏｓｈｉ，"Ｏｐｔｉｍｕｍ  ｄｅｓｉｇｎ  ａｎｄ  ｄｅｐｔｈ  ｒｅｓｏｌｕｔｉｏｎ  ｏｆ  ｌｅｎｓ−ｓｈｅｅｔ  ａｎｄ  ｐｒｏｊｅｃｔｉｏｎｔｙｐｅ  ｔｈｒｅｅ−ｄｉｍｅｎｓｉｏｎａｌ  ｄｉｓｐｌａｙｓ，"Ａｐｐｌ．Ｏｐｔ．１０，２２８４−２２９１  （１９７１）．
（非特許文献１２７）  Ｆ．Ｏｋａｎｏ，Ｈ．Ｈｏｓｈｉｎｏ，Ｊ．Ａｒａｉ  ｙ  Ｉ．Ｙｕｙａｍａ，"Ｒｅａｌ−ｔｉｍｅ  ｐｉｃｋｕｐ  ｍｅｔｈｏｄ  ｆｏｒ  ａ  ｔｈｒｅｅ−ｄｉｍｅｎｓｉｏｎａｌ  ｉｍａｇｅ  ｂａｓｅｄ  ｏｎ  ｉｎｔｅｇｒａｌ  ｐｈｏｔｏｇｒａｐｈｙ，"Ａｐｐｌ．Ｏｐｔ．３６，１５９８−１６０３  （１９９７）．
（非特許文献１２８）  Ｊ．Ａｒａｎ，"Ｄｅｐｔｈ−ｃｏｎｔｒｏｌ  ｍｅｔｈｏｄ  ｆｏｒ  ｉｎｔｅｇｒａｌ  ｉｍａｇｉｎｇ，&quotＯｐｔｉｃｓ  Ｌｅｔｔｅｒｓ，３３（３）：２７９−２８２，２００８．
（非特許文献１２９）  Ｈ．Ｈｕａ，"Ｓｕｎｇｌａｓｓ−ｌｉｋｅ  ｄｉｓｐｌａｙｓ  ｂｅｃｏｍｅ  ａ  ｒｅａｌｉｔｙ  ｗｉｔｈ  ｆｒｅｅｆｏｒｍ  ｏｐｔｉｃａｌ  ｔｅｃｈｎｏｌｏｇｙ，"ＳＰＩＥ  Ｎｅｗｓｒｏｏｍ，２０１２．
（非特許文献１３０）  Ｈ．Ｈｕａ，Ｘ．Ｈｕ，ａｎｄ  Ｃ．Ｇａｏ，"Ａ  ｈｉｇｈ−ｒｅｓｏｌｕｔｉｏｎ  ｏｐｔｉｃａｌ  ｓｅｅ−ｔｈｒｏｕｇｈ  ｈｅａｄｍｏｕｎｔｅｄ  ｄｉｓｐｌａｙ  ｗｉｔｈ  ｅｙｅｔｒａｃｋｉｎｇ  ｃａｐａｂｉｌｉｔｙ，"Ｏｐｔｉｃｓ  Ｅｘｐｒｅｓｓ，Ｎｏｖｅｍｂｅｒ  ２０１３．
（非特許文献１３１）  Ｄ．Ｃｈｅｎｇ，Ｙ．Ｗａｎｇ，Ｈ．Ｈｕａ，ａｎｄ  Ｍ．Ｍ．Ｔａｌｈａ，Ｄｅｓｉｇｎ  ｏｆ  ａｎ  ｏｐｔｉｃａｌ  ｓｅｅ−ｔｈｒｏｕｇｈ  ｈｅａｄｍｏｕｎｔｅｄ  ｄｉｓｐｌａｙ  ｗｉｔｈ  ａ  ｌｏｗ  ｆ−ｎｕｍｂｅｒ  ａｎｄ  ｌａｒｇｅ  ｆｉｅｌｄ  ｏｆ  ｖｉｅｗ  ｕｓｉｎｇ  ａ  ｆｒｅｅ−ｆｏｒｍ  ｐｒｉｓｍ，Ａｐｐ．Ｏｐｔ．４８  （１４），ｐｐ．２６５５−２６６８，２００９．
（非特許文献１３２）  Ａ．Ｊｏｎｅｓ，Ｉ．ＭｃＤｏｗａｌｌ，Ｙａｍａｄａ  Ｈ．，Ｍ．Ｂｏｌａｓ，Ｐ．Ｄｅｂｅｖｅｃ，Ｒｅｎｄｅｒｉｎｇ  ｆｏｒ  ａｎ  Ｉｎｔｅｒａｃｔｉｖｅ  ３６０?  Ｌｉｇｈｔ  Ｆｉｅｌｄ  Ｄｉｓｐｌａｙ  ＡＣＭ  Ｔｒａｎｓａｃｔｉｏｎｓ  ｏｎ  Ｇｒａｐｈｉｃｓ  （ＴＯＧ）  −Ｐｒｏｃｅｅｄｉｎｇｓ  ｏｆ  ＡＣＭ  ＳＩＧＧＲＡＰＨ  ２００７，２６（３），２００７．
（非特許文献１３３）  Ｔｉｂｏｒ  Ｂａｌｏｇｈ，"Ｔｈｅ  ＨｏｌｏＶｉｚｉｏ  Ｓｙｓｔｅｍ，"Ｐｒｏｃｅｅｄｉｎｇｓ  ｏｆ  ＳＰＩＥ，ＶＯｌ  ６０５５，２００６．
（非特許文献１３４）  Ｙ．Ｔａｋａｋｉ，Ｙ．Ｕｒａｎｏ，Ｓ．Ｋａｓｈｉｗａｄａ，Ｈ．Ａｎｄｏ，ａｎｄ  Ｋ．Ｎａｋａｍｕｒａ，"Ｓｕｐｅｒ  ｍｕｌｔｉｖｉｅｗ  ｗｉｎｓｈｉｅｌｄ  ｄｉｓｐｌａｙ  ｆｏｒ  ｌｏｎｇ−ｄｉｓｔａｎｃｅ  ｉｍａｇｅ  ｉｎｆｏｒｍａｔｉｏｎ  ｐｒｅｓｅｎｔａｔｉｏｎ，"Ｏｐｔ．Ｅｘｐｒｅｓｓ，１９，７０４−１６，２０１１．
（非特許文献１３５）  Ｂｌｕｎｄｅｌｌ，Ｂ．Ｇ．，ａｎｄ  Ｓｃｈｗａｒｚ，Ａ．Ｊ．，"Ｔｈｅ  ｃｌａｓｓｉｆｉｃａｔｉｏｎ  ｏｆ  ｖｏｌｕｍｅｔｒｉｃ  ｄｉｓｐｌａｙ  ｓｙｓｔｅｍｓ：  ｃｈａｒａｃｔｅｒｉｓｔｉｃｓ  ａｎｄ  ｐｒｅｄｉｃｔａｂｉｌｉｔｙ  ｏｆ  ｔｈｅ  ｉｍａｇｅ  ｓｐａｃｅ，"ＩＥＥＥ  Ｔｒａｎｓａｃｔｉｏｎ  ｏｎ  Ｖｉｓｕａｌｉｚａｔｉｏｎ  ａｎｄ  Ｃｏｍｐｕｔｅｒ  Ｇｒａｐｈｉｃｓ，８（１），ｐｐ．６６−７５，２００２．
（非特許文献１３６）  Ｓｃｈｏｗｅｎｇｅｒｄｔ，Ｂ．Ｔ．，ａｎｄ  Ｓｅｉｂｅｌ，Ｅ．Ｊ．，"Ｔｒｕｅ  ３−Ｄ  ｓｃａｎｎｅｄ  ｖｏｘｅｌ  ｄｉｓｐｌａｙｓ  ｕｓｉｎｇ  ｓｉｎｇｌｅ  ｏｒ  ｍｕｌｔｉｐｌｅ  ｌｉｇｈｔ  ｓｏｕｒｃｅｓ，"Ｊｏｕｒｎａｌ  ｏｆ  ＳＩＤ，１４（２），ｐｐ．１３５−１４３，２００６．
（非特許文献１３７）  Ｘ．Ｈｕ  ａｎｄ  Ｈ．Ｈｕａ，"Ｄｅｓｉｇｎ  ａｎｄ  ａｓｓｅｓｓｍｅｎｔ  ｏｆ  ａ  ｄｅｐｔｈ−ｆｕｓｅｄ  ｍｕｌｔｉ−ｆｏｃａｌ−ｐｌａｎｅ  ｄｉｓｐｌａｙ  ｐｒｏｔｏｔｙｐｅ，"Ｊｏｕｒｎａｌ  ｏｆ  Ｄｉｓｐｌａｙ  Ｔｅｃｈｎｏｌｏｇｙ，Ｄｅｃｅｍｂｅｒ  ２０１３．
（非特許文献１３８）  Ｓｕｙａｍａ，Ｓ．，Ｏｈｔｓｕｋａ，Ｓ．，Ｔａｋａｄａ，Ｈ．，Ｕｅｈｉｒａ，Ｋ．，ａｎｄ  Ｓａｋａｉ，Ｓ．，"Ａｐｐａｒｅｎｔ  ３Ｄ  ｉｍａｇｅ  ｐｅｒｃｅｉｖｅｄ  ｆｒｏｍ  ｌｕｍｉｎａｎｃｅ−ｍｏｄｕｌａｔｅｄ  ｔｗｏ  ２Ｄ  ｉｍａｇｅｓ  ｄｉｓｐｌａｙｅｄ  ａｔ  ｄｉｆｆｅｒｅｎｔ  ｄｅｐｔｈｓ，"Ｖｉｓｉｏｎ  Ｒｅｓｅａｒｃｈ，４４：  ７８５−７９３，２００４．
（非特許文献１３９）  Ｊ．Ｈｏｎｇ，Ｓ．Ｍｉｎ，ａｎｄ  Ｂ．Ｌｅｅ，"Ｉｎｔｅｇｒａｌ  ｆｌｏａｔｉｎｇ  ｄｉｓｐｌａｙ  ｓｙｓｔｅｍｓ  ｆｏｒ  ａｕｇｍｅｎｔｅｄ  ｒｅａｌｉｔｙ，"Ａｐｐｌｉｘｅｄ  Ｏｐｔｉｃｓ，５１（１８）：４２０１−９，２０１２．
（非特許文献１４０）  Ａ．Ｍａｌｍｏｎｅ，ａｎｄ  Ｈ．Ｆｕｃｈｓ，"Ｃｏｍｐｕｔａｔｉｏｎａｌ  ａｕｇｍｅｎｔｅｄ  ｒｅａｌｉｔｙ  ｅｙｅｇｌａｓｓｅｓ，"Ｐｒｏｃ．ｏｆ  ＩＳＭＡＲ  ２０１２．
（非特許文献１４１）  Ｈ．Ｍｕｋａｗａ，Ｋ．Ａｋｕｔｓｕ，Ｉ．Ｍａｔｓｕｍｕｒａ，Ｓ．Ｎａｋａｎｏ，Ｔ．Ｙｏｓｈｉｄａ，Ｍ．Ｋｕｗａｈａｒａ，ａｎｄ  Ｋ．Ａｉｋｉ，Ａ  ｆｕｌｌｃｏｌｏｒ  ｅｙｅｗｅａｒ  ｄｉｓｐｌａｙ  ｕｓｉｎｇ  ｐｌａｎａｒ  ｗａｖｅｇｕｉｄｅｓ  ｗｉｔｈ  ｒｅｆｌｅｃｔｉｏｎ  ｖｏｌｕｍｅ  ｈｏｌｏｇｒａｍｓ，Ｊ．Ｓｏｃ．Ｉｎｆ．Ｄｉｓｐｌａｙ  １９  （３），ｐｐ．１８５−１９３，２００９．
（非特許文献１４２）  Ｍ．Ｍａｒｔ?ｎｅｚ−Ｃｏｒｒａｌ，Ｈ．Ｎａｖａｒｒｏ，Ｒ．Ｍａｒｔ?ｎｅｚ−Ｃｕｅｎｃａ，Ｇ．Ｓａａｖｅｄｒａ，ａｎｄ  Ｂ．Ｊａｖｉｄｉ，"Ｆｕｌｌ  ｐａｒａｌｌａｘ  ３−Ｄ  ＴＶ  ｗｉｔｈ  ｐｒｏｇｒａｍｍａｂｌｅ  ｄｉｓｐｌａｙ  ｐａｒａｍｅｔｅｒｓ，"Ｏｐｔ．Ｐｈｏｔ．Ｎｅｗｓ  ２２，５０−５０  （２０１１）．
（非特許文献１４３）  Ｊ．Ｓ．Ｊａｎｇ  ａｎｄ  Ｂ．Ｊａｖｉｄｉ，"Ｌａｒｇｅ  ｄｅｐｔｈ−ｏｆ−ｆｏｃｕｓ  ｔｉｍｅ−ｍｕｌｔｉｐｌｅｘｅｄ  ｔｈｒｅｅ−ｄｉｍｅｎｓｉｏｎａｌ  ｉｎｔｅｇｒａｌ  ｉｍａｇｉｎｇ  ｂｙ  ｕｓｅ  ｏｆ  ｌｅｎｓｌｅｔｓ  ｗｉｔｈ  ｎｏｎ−ｕｎｉｆｏｒｍ  ｆｏｃａｌ  ｌｅｎｇｔｈｓ  ａｎｄ  ａｐｅｒｔｕｒｅ  ｓｉｚｅｓ，"Ｏｐｔ．Ｌｅｔｔ．ｖｏｌ．２８，ｐｐ．１９２４−１９２６  （２００３）．
（非特許文献１４４）  Ｃｈｉｈ−Ｗｅｉ  Ｃｈｅｎ，Ｍｙｕｎｇｊｉｎ  Ｃｈｏ，Ｙｉ−Ｐａｉ  Ｈｕａｎｇ，ａｎｄ  Ｂａｈｒａｍ  Ｊａｖｉｄｉ，"Ｉｍｐｒｏｖｅｄ  ｖｉｅｗｉｎｇ  ｚｏｎｅｓ  ｆｏｒ  ｐｒｏｊｅｃｔｉｏｎ  ｔｙｐｅ  ｉｎｔｅｇｒａｌ  ｉｍａｇｉｎｇ  ３Ｄ  ｄｉｓｐｌａｙ  ｕｓｉｎｇ  ａｄａｐｔｉｖｅ  ｌｉｑｕｉｄ  ｃｒｙｓｔａｌ  ｐｒｉｓｍ  ａｒｒａｙ，"ＩＥＥＥ  Ｊｏｕｒｎａｌ  ｏｆ  Ｄｉｓｐｌａｙ  Ｔｅｃｈｎｏｌｏｇｙ，２０１４．
（非特許文献１４５）  Ｘｉａｏ  Ｘｉａｏ，Ｂａｈｒａｍ  Ｊａｖｉｄｉ，Ｍａｎｕｅｌ  Ｍａｒｔｉｎｅｚ−Ｃｏｒｒａｌ，ａｎｄ  Ａｄｒｉａｎ  Ｓｔｅｒｎ，"Ａｄｖａｎｃｅｓ  ｉｎ  Ｔｈｒｅｅ−Ｄｉｍｅｎｓｉｏｎａｌ  Ｉｎｔｅｇｒａｌ  Ｉｍａｇｉｎｇ：  Ｓｅｎｓｉｎｇ，Ｄｉｓｐｌａｙ，ａｎｄ  Ａｐｐｌｉｃａｔｉｏｎｓ，"Ａｐｐｌｉｅｄ  Ｏｐｔｉｃｓ，５２（４）：．５４６−５６０，２０１３．
（非特許文献１４６）  Ｊ．Ｓ．Ｊａｎｇ，Ｆ．Ｊｉｎ，ａｎｄ  Ｂ．Ｊａｖｉｄｉ，"Ｔｈｒｅｅ−ｄｉｍｅｎｓｉｏｎａｌ  ｉｎｔｅｇｒａｌ  ｉｍａｇｉｎｇ  ｗｉｔｈ  ｌａｒｇｅ  ｄｅｐｔｈ  ｏｆ  ｆｏｃｕｓ  ｂｙ  ｕｓｅ  ｏｆ  ｒｅａｌ  ａｎｄ  ｖｉｒｔｕａｌ  ｉｍａｇｅ  ｆｉｅｌｄｓ，"Ｏｐｔ．Ｌｅｔｔ．２８：１４２１−２３，２００３．
（非特許文献１４７）  Ｓ．Ｂａｇｈｅｒｉ  ａｎｄ  Ｂ．Ｊａｖｉｄｉ，"Ｅｘｔｅｎｓｉｏｎ  ｏｆ  Ｄｅｐｔｈ  ｏｆ  Ｆｉｅｌｄ  Ｕｓｉｎｇ  Ａｍｐｌｉｔｕｄｅ  ａｎｄ  Ｐｈａｓｅ  Ｍｏｄｕｌａｔｉｏｎ  ｏｆ  ｔｈｅ  Ｐｕｐｉｌ  Ｆｕｎｃｔｉｏｎ，"Ｊｏｕｒｎａｌ  ｏｆ  Ｏｐｔｉｃｓ  Ｌｅｔｔｅｒｓ，ｖｏｌ．３３，ｎｏ．７，ｐｐ．７５７−７５９，１  Ａｐｒｉｌ  ２００８．
（非特許文献１４８）  Ｍ．Ｌｕｃｅｎｔｅ，"Ｉｎｔｅｒａｃｔｉｖｅ  ｔｈｒｅｅ−ｄｉｍｅｎｓｉｏｎａｌ  ｈｏｌｏｇｒａｐｈｉｃ  ｄｉｓｐｌａｙｓ：  ｓｅｅｉｎｇ  ｔｈｅ  ｆｕｔｕｒｅ  ｉｎ  ｄｅｐｔｈ，"Ｃｏｍｐｕｔｅｒ  Ｇｒａｐｈｉｃｓ，３１（２），ｐｐ．６３−６７，１９９７
（非特許文献１４９）  Ｐ．Ａ．Ｂｌａｎｃｈｅ，ｅｔ  ａｌ，"Ｈｏｌｏｇｒａｐｈｉｃ  ｔｈｒｅｅ−ｄｉｍｅｎｓｉｏｎａｌ  ｔｅｌｅｐｒｅｓｅｎｃｅ  ｕｓｉｎｇ  ｌａｒｇｅａｒｅａ  ｐｈｏｔｏｒｅｆｒａｃｔｉｖｅ  ｐｏｌｙｍｅｒ，"Ｎａｔｕｒｅ，４６８，８０−８３，Ｎｏｖ．２０１０
（非特許文献１５０）  Ｇ．Ｗｅｔｚｓｔｅｉｎ  ｅｔ  ａｌ．，"Ｔｅｎｓｏｒ  Ｄｉｓｐｌａｙｓ：  Ｃｏｍｐｒｅｓｓｉｖｅ  ｌｉｇｈｔ  ｆｉｅｌｄ  ｓｙｎｔｈｅｓｉｓ  ｕｓｉｎｇ  ｍｕｌｔｉｌａｙｅｒ  ｄｉｓｐｌａｙｓ  ｗｉｔｈ  ｄｉｒｅｃｔｉｏｎａｌ  ｂａｃｋｌｉｇｈｔｉｎｇ，"ＡＣＭ  Ｔｒａｎｓａｃｔｉｏｎｓ  ｏｎ  Ｇｒａｐｈｉｃｓ，３１（４），２０１２．
（非特許文献１５１）  Ｂｌｕｎｄｅｌｌ，Ｂ．Ｇ．，ａｎｄ  Ｓｃｈｗａｒｚ，Ａ．Ｊ．，"Ｔｈｅ  ｃｌａｓｓｉｆｉｃａｔｉｏｎ  ｏｆ  ｖｏｌｕｍｅｔｒｉｃ  ｄｉｓｐｌａｙ  ｓｙｓｔｅｍｓ：  ｃｈａｒａｃｔｅｒｉｓｔｉｃｓ  ａｎｄ  ｐｒｅｄｉｃｔａｂｉｌｉｔｙ  ｏｆ  ｔｈｅ  ｉｍａｇｅ  ｓｐａｃｅ，"ＩＥＥＥ  Ｔｒａｎｓａｃｔｉｏｎ  ｏｎ  Ｖｉｓｕａｌｉｚａｔｉｏｎ  ａｎｄ  Ｃｏｍｐｕｔｅｒ  Ｇｒａｐｈｉｃｓ，８（１），ｐｐ．６６−７５，２００２．
（非特許文献１５２）  Ｊ．Ｙ．Ｓｏｎ，Ｗ．Ｈ．Ｓｏｎ，Ｓ．Ｋ．Ｋｉｍ，Ｋ．Ｈ．Ｌｅｅ，Ｂ．Ｊａｖｉｄｉ，"Ｔｈｒｅｅ−Ｄｉｍｅｎｓｉｏｎａｌ  Ｉｍａｇｉｎｇ  ｆｏｒ  Ｃｒｅａｔｉｎｇ  Ｒｅａｌ−Ｗｏｒｌｄ−Ｌｉｋｅ  Ｅｎｖｉｒｏｎｍｅｎｔｓ，"Ｐｒｏｃｅｅｄｉｎｇｓ  ｏｆ  ＩＥＥＥ  Ｊｏｕｒｎａｌ，Ｖｏｌ．１０１，ｉｓｓｕｅ  １，ｐｐ．１９０−２０５，Ｊａｎｕａｒｙ  ２０１３．
（非特許文献１５３）  Ｒ．Ｍａｒｔｉｎｅｚ−Ｃｕｅｎｃａ，Ｈ．Ｎａｖａｒｒｏ，Ｇ．Ｓａａｖｅｄｒａ，Ｂ．Ｊａｖｉｄｉ，ａｎｄ  Ｍ．Ｍａｒｔｉｎｅｚ−Ｃｏｒｒａｌ，"Ｅｎｈａｎｃｅｄ  ｖｉｅｗｉｎｇａｎｇｌｅ  ｉｎｔｅｇｒａｌ  ｉｍａｇｉｎｇ  ｂｙ  ｍｕｌｔｉｐｌｅ−ａｘｉｓ  ｔｅｌｅｃｅｎｔｒｉｃ  ｒｅｌａｙ  ｓｙｓｔｅｍ，"Ｏｐｔｉｃｓ  Ｅｘｐｒｅｓｓ，Ｖｏｌ．１５，Ｉｓｓｕｅ  ２４，ｐｐ．１６２５５−１６２６０，２１  Ｎｏｖｅｍｂｅｒ  ２００７．
（非特許文献１５４）  Ａ．Ｃａｓｔｒｏ，Ｙ．Ｆｒａｕｅｌ，ａｎｄ  Ｂ．Ｊａｖｉｄｉ，"Ｉｎｔｅｇｒａｌ  ｉｍａｇｉｎｇ  ｗｉｔｈ  ｌａｒｇｅ  ｄｅｐｔｈ  ｏｆ  ｆｉｅｌｄ  ｕｓｉｎｇ  ａｎ  ａｓｙｍｍｅｔｒｉｃ  ｐｈａｓｅ  ｍａｓｋ，"Ｊｏｕｒｎａｌ  ｏｆ  Ｏｐｔｉｃｓ  Ｅｘｐｒｅｓｓ，Ｖｏｌ．１５，Ｉｓｓｕｅ  １６，ｐｐ．１０２６６−１０２７３（Ａｕｇｕｓｔ  ２００７）
（非特許文献１５５）  Ｅｕｒｏｐｅａｎ  Ｓｅａｒｃｈ  Ｒｅｐｏｒｔ  ｄａｔｅｄ  Ａｕｇｕｓｔ  １４，２０１５  ｉｎ  ｃｏｒｒｅｓｐｏｎｄｉｎｇ  ＥＰ  ａｐｐｌｉｃａｔｉｏｎ  １３７４０９８９．２．
（非特許文献１５６）  Ｒ．Ｓｃｈｕｌｅｉｎ，Ｍ．ＤａｎｅｓｈＰａｎａｈ，ａｎｄ  Ｂ．Ｊａｖｉｄｉ，"３Ｄ  ｉｍａｇｉｎｇ  ｗｉｔｈ  ａｘｉａｌｌｙ  ｄｉｓｔｒｉｂｕｔｅｄ  ｓｅｎｓｉｎｇ，"Ｊｏｕｒｎａｌ  ｏｆ  Ｏｐｔｉｃｓ  Ｌｅｔｔｅｒｓ，Ｖｏｌ．３４，Ｉｓｓｕｅ  １３，ｐｐ．２０１２−２０１４，１  Ｊｕｌｙ  ２００９．